(57)【要約】【課題】  従来の通信装置は、ただ単純に人体からアンテナ素子を離しただけのものであり、アンテナ性能を十分に出し切れる構成となっていない。【解決手段】  少なくとも２つのアンテナ素子１０２１ａ、１０２２ａと、第１上側筐体１０２１及び第２上側筐体１０２２の２つの上側筐体と、下側筐体１０３と、第１上側筐体１０２１、第２上側筐体１０２２、及び下側筐体１０３を接続するヒンジ部１０４とを備え、第１上側筐体１０２１、第２上側筐体１０２２、及び下側筐体１０３は、ヒンジ部１０４を介して折り畳み可能であり、第１上側筐体１０２１及び第２上側筐体１０２２には、それぞれ少なくとも１つのアンテナ素子１０２１ａ、１０２２ａが配置されている、携帯無線装置である。【選択図】  図１
2006041757.tif 000002
【特許請求の範囲】
【請求項１】
少なくとも２つのアンテナ素子と、
第１上側筐体及び第２上側筐体の２つの上側筐体と、
下側筐体と、
前記第１上側筐体、前記第２上側筐体、及び前記下側筐体を接続するヒンジ部とを備え、
前記第１上側筐体、前記第２上側筐体、及び前記下側筐体は、前記ヒンジ部を介して折り畳み可能であり、
前記第１上側筐体及び前記第２上側筐体には、それぞれ少なくとも１つの前記アンテナ素子が配置されている、携帯無線装置。
【請求項２】
前記上側筐体が３つ以上設けられている、請求項１記載の携帯無線装置。
【請求項３】
前記第１上側筐体及び前記第２上側筐体を開閉する開閉部を備え、
前記第１上側筐体及び前記第２上側筐体は、互いに接触すること及び離れることが可能である、請求項１記載の携帯無線装置。
【請求項４】
開閉指示を行うボタンを備え、
前記ボタンが押されると、前記開閉部に開閉指示の命令が伝わり、前記第１上側筐体及び前記第２上側筐体が互いに離れる、請求項３記載の携帯無線装置。
【請求項５】
前記上側筐体、前記下側筐体、前記ヒンジ部のうち少なくとも１つを動かす駆動回路を備えた、請求項１記載の携帯無線装置。
【請求項６】
受信電力が予め定められた値以下になったかどうかを判断する受信電力判断部を備え、
前記受信電力判断部が、前記受信電力が予め定められた前記値以下になったと判断した場合、前記駆動回路は、前記上側筐体、前記下側筐体、及び前記ヒンジ部のうち少なくとも１つを動かす、請求項５記載の携帯無線装置。
【請求項７】
圧力を検知する圧力センサを備え、
前記駆動回路が駆動中に前記圧力センサが所定の圧力以上の圧力を検知した場合、前記駆動回路は、駆動を停止する、請求項５記載の携帯無線装置。
【請求項８】
少なくとも１つのアンテナ素子と、
上側筐体と、
下側筐体と、
前記上側筐体及び前記下側筐体を接続するヒンジ部とを備え、
前記上側筐体は、上側筐体第１分割体と、上側筐体第２分割体と、前記上側筐体第１分割体及び前記上側筐体第２分割体を連結する接続部を有し、
前記上側筐体及び前記下側筐体は、前記ヒンジ部を介して折り畳み可能であり、
前記上側筐体第１分割体及び前記上側筐体第２分割体のうち、少なくとも音孔部が配置されていない方の分割体には、少なくとも１つの前記アンテナ素子が配置されている、携帯無線装置。
【請求項９】
前記上側筐体第２分割体が２つ以上設けられている、請求項８記載の携帯無線装置。
【請求項１０】
前記接続部により、前記第１上側筐体第１分割体及び前記上側筐体第２分割体は、互いに接触すること及び離れることが可能である、請求項８記載の携帯無線装置。
【請求項１１】
開閉指示を行うボタンを備え、
前記ボタンが押されると、前記開閉部または前記ヒンジ部に開閉指示の命令が伝わり、前記上側筐体第１分割体及び前記上側筐体第２分割体が互いに離れる、請求項１０記載の携帯無線装置。
【請求項１２】
前記上側筐体、前記下側筐体、前記ヒンジ部のうち少なくとも１つを駆動する駆動回路を備えた、請求項８記載の携帯無線装置。
【請求項１３】
受信電力が予め定められた値以下になったかどうかを判断する受信電力判断部を備え、
前記受信電力判断部が、前記受信電力が予め定められた前記値以下になったと判断した場合、前記駆動回路は、前記上側筐体、前記下側筐体、及び前記ヒンジ部のうち少なくとも１つを駆動する、請求項１２記載の携帯無線装置。
【請求項１４】
前記上側筐体第１分割体に配置されたディスプレイを備え、
前記上側筐体第２分割体は、前記ディスプレイのフレームである、請求項８記載の携帯無線装置。
【請求項１５】
前記上側筐体第１分割体には、少なくとも１つの前記アンテナが配置されている、請求項１４記載の携帯無線装置。  
【請求項１６】
前記上側筐体第２分割体には前記音孔部が配置されている、請求項１４記載の携帯無線装置。
【請求項１７】
圧力を検知する圧力センサを備え、
前記駆動回路が駆動中に、前記圧力センサが所定の圧力以上の圧力を検知した場合、前記駆動回路は、駆動を停止する、請求項１２記載の携帯無線装置。
【請求項１８】
前記第１上側筐体及び前記第２上側筐体のうち少なくとも一つの上側筐体の全部または一部は、導電性材料で形成されており、前記アンテナ素子の全部または一部を兼ねている、請求項１記載の携帯無線装置。
【請求項１９】
前記上側筐体第１分割体及び前記上側筐体第２分割体のうち少なくとも一つの分割体の全部または一部が導電性材料で形成されており、前記アンテナ素子の全部または一部を兼ねている、請求項８記載の携帯無線装置。
【請求項２０】
前記アンテナ素子が２つ以上設けられている場合、すくなくとも１つの前記アンテナ素子は、無給電である、請求項１または８記載の携帯無線装置。
【請求項２１】
前記第１上側筐体、前記第２上側筐体、及び前記下側筐体を折り畳んだ際に、前記第２上側筐体は、前記第１上側筐体及び前記下側筐体に挟まれる位置にあり、
前記第２上側筐体に配置された前記アンテナ素子は、給電され、
前記第１上側筐体に配置された前記アンテナ素子は、無給電とされる、請求項１記載の携帯無線装置。
【請求項２２】
前記第１上側筐体、前記第２上側筐体、及び前記下側筐体を折り畳んだ際に、前記第２上側筐体は、前記第１上側筐体及び前記下側筐体に挟まれる位置にあり、
前記第１上側筐体に配置された前記アンテナ素子は、給電され、
前記第２上側筐体に配置された前記アンテナ素子は、無給電とされる、請求項１記載の携帯無線装置。
【請求項２３】
前記上側筐体第１分割体及び前記上側筐体第２分割体には、それぞれ少なくとも１つの前記アンテナ素子が配置されており、
前記上側筐体第１分割体に配置された前記アンテナ素子は、給電され、
前記上側筐体第２分割体に配置された前記アンテナ素子は、無給電とされる、請求項８記載の携帯無線装置。
【請求項２４】
前記上側筐体第１分割体及び前記上側筐体第２分割体には、それぞれ少なくとも１つの前記アンテナ素子が配置されており、
前記上側筐体第２分割体に配置された前記アンテナ素子は、給電され、
前記上側筐体第１分割体に配置された前記アンテナ素子は、無給電とされる、請求項８記載の携帯無線装置。
【請求項２５】
前記アンテナ素子は複数であり、
前記複数のアンテナ素子のうち、人体から最も遠い場所に位置するアンテナ素子によって送信を行う、請求項１または８に記載の携帯無線装置。
【請求項２６】
前記アンテナ素子は複数であり、
前記複数のアンテナ素子のうち少なくとも１つのアンテナ素子は、少なくとも２つの異なる周波数帯で共振する、請求項１または８に記載の携帯無線装置。
【請求項２７】
前記アンテナ素子は複数であり、
前記複数のアンテナ素子のうち少なくとも２つのアンテナ素子は、異なる周波数帯で共振する、請求項１または８に記載の携帯無線装置。
【請求項２８】
前記アンテナ素子は、通話時に人体から遠い場所に位置するものほど、高い周波数帯で共振する、請求項２７記載の携帯無線装置。
【請求項２９】
前記アンテナ素子は複数であり、
前記複数のアンテナ素子を用いてダイバーシチを行う、請求項１または８に記載の携帯無線装置。
【請求項３０】
前記アンテナ素子は複数であり、
前記複数のアンテナ素子を用いて最大比合成を行う、請求項１または８に記載の携帯無線装置。
【請求項３１】
前記アンテナ素子は複数であり、
前記複数のアンテナ素子を用いてアダプティブ制御を行う、請求項１または８に記載の携帯無線装置。
【請求項３２】
複数の負荷回路と、
前記負荷回路を切り替えて使用するためのスイッチ回路とを備え、
前記アンテナ素子は複数であり、
前記複数のアンテナ素子のうち少なくとも１つのアンテナ素子の一部に前記スイッチ回路が接続されており、
前記スイッチ回路は、複数の周波数帯のうち使用する周波数帯に応じて前記負荷回路を切り替えて前記アンテナ素子に接続する、請求項１または８記載の携帯無線装置。
【発明の詳細な説明】
【技術分野】
【０００１】
本発明は、主として携帯電話端末等の無線通信装置に用いられる携帯無線装置に関するものである。
【背景技術】
【０００２】
近年、携帯電話などの移動通信が急速に発達している。携帯電話は人体に近接して使用されるため、アンテナの特性が劣化する。そこで、従来人体によって生ずる干渉を最小化できる通信装置が研究されている（例えば、特許文献１参照）。
【０００３】
図９に、特許文献１に記載された従来の通信装置を示す。従来の通信装置は、アンテナ素子９１１を有する第１フリップ９０２を含む。第１フリップ９０２は、通信装置の筐体９０１に接続されていて、筐体９０１に隣接する閉位置（閉じた状態）と筐体９０１から角度的に離れた動作位置との間を動く。アンテナ素子９１１に対向する導電面を有する第２フリップ９０３がこのアンテナ素子９１１のための接地基準を成す。第２フリップ９０３は、筐体９０１と第１フリップ９０２の間で、筐体９０１に接続されていて、筐体９０１に隣接する閉位置（閉じた状態）と筐体９０１および第１フリップ９０２の両方から角度的に離れた動作位置との間を動く。
【０００４】
動作位置では、第１フリップ９０２および第２フリップ９０３の間の角度が通信装置の動作周波数に対する最適同調をもたらす。都合よく、動作位置で、第１フリップ９０２および第２フリップ９０３の間の角度は、寄生容量が複式周波帯単一インピーダンス・アンテナを作るための第２共振と整合するように同調可能である。更に、第２フリップ９０３上の導電面は、アンテナ素子９１１とユーザの間にあり、それがアンテナを人体によって生ずる干渉から遮蔽する。
【特許文献１】特表２００２−５１６５０３号公報
【発明の開示】
【発明が解決しようとする課題】
【０００５】
しかしながら従来の通信装置は、ただ単純に人体からアンテナ素子を離しただけのものであり、アンテナ性能を十分に出し切れる構成となっていない。
【０００６】
すなわち、従来の通信装置は、アンテナ性能を十分に出し切れていないという課題がある。
【０００７】
本発明は、上記課題を考慮し、ＳＡＲ（Ｓｐｅｃｉｆｉｃ  Ａｂｓｏｒｐｔｉｏｎ  Ｒａｔｅ：比吸収率）を低く抑えることが可能で、かつ受信感度のよい携帯無線装置を提供することを目的とするものである。
【課題を解決するための手段】
【０００８】
上述した課題を解決するために、第１の本発明は、少なくとも２つのアンテナ素子と、
第１上側筐体及び第２上側筐体の２つの上側筐体と、
下側筐体と、
前記第１上側筐体、前記第２上側筐体、及び前記下側筐体を接続するヒンジ部とを備え、
前記第１上側筐体、前記第２上側筐体、及び前記下側筐体は、前記ヒンジ部を介して折り畳み可能であり、
前記第１上側筐体及び前記第２上側筐体には、それぞれ少なくとも１つの前記アンテナ素子が配置されている、携帯無線装置である。
【０００９】
また、第２の本発明は、前記上側筐体が３つ以上設けられている、第１の本発明の携帯無線装置である。
【００１０】
また、第３の本発明は、前記第１上側筐体及び前記第２上側筐体を開閉する開閉部を備え、
前記第１上側筐体及び前記第２上側筐体は、互いに接触すること及び離れることが可能である、第１の本発明の携帯無線装置である。
【００１１】
また、第４の本発明は、開閉指示を行うボタンを備え、
前記ボタンが押されると、前記開閉部に開閉指示の命令が伝わり、前記第１上側筐体及び前記第２上側筐体が互いに離れる、第３の本発明の携帯無線装置である。
【００１２】
また、第５の本発明は、前記上側筐体、前記下側筐体、前記ヒンジ部のうち少なくとも１つを動かす駆動回路を備えた、第１の本発明の携帯無線装置である。
【００１３】
また、第６の本発明は、受信電力が予め定められた値以下になったかどうかを判断する受信電力判断部を備え、
前記受信電力判断部が、前記受信電力が予め定められた前記値以下になったと判断した場合、前記駆動回路は、前記上側筐体、前記下側筐体、及び前記ヒンジ部のうち少なくとも１つを動かす、第５の本発明の携帯無線装置である。
【００１４】
また、第７の本発明は、圧力を検知する圧力センサを備え、
前記駆動回路が駆動中に前記圧力センサが所定の圧力以上の圧力を検知した場合、前記駆動回路は、駆動を停止する、第５の本発明の携帯無線装置である。
【００１５】
また、第８の本発明は、少なくとも１つのアンテナ素子と、
上側筐体と、
下側筐体と、
前記上側筐体及び前記下側筐体を接続するヒンジ部とを備え、
前記上側筐体は、上側筐体第１分割体と、上側筐体第２分割体と、前記上側筐体第１分割体及び前記上側筐体第２分割体を連結する接続部を有し、
前記上側筐体及び前記下側筐体は、前記ヒンジ部を介して折り畳み可能であり、
前記上側筐体第１分割体及び前記上側筐体第２分割体のうち、少なくとも音孔部が配置されていない方の分割体には、少なくとも１つの前記アンテナ素子が配置されている、携帯無線装置である。
【００１６】
また、第９の本発明は、前記上側筐体第２分割体が２つ以上設けられている、第８の本発明の携帯無線装置である。
【００１７】
また、第１０の本発明は、前記接続部により、前記第１上側筐体第１分割体及び前記上側筐体第２分割体は、互いに接触すること及び離れることが可能である、第８の本発明の携帯無線装置である。
【００１８】
また、第１１の本発明は、開閉指示を行うボタンを備え、
前記ボタンが押されると、前記開閉部または前記ヒンジ部に開閉指示の命令が伝わり、前記上側筐体第１分割体及び前記上側筐体第２分割体が互いに離れる、第１０の本発明の携帯無線装置である。
【００１９】
また、第１２の本発明は、前記上側筐体、前記下側筐体、前記ヒンジ部のうち少なくとも１つを駆動する駆動回路を備えた、第８の本発明の携帯無線装置である。
【００２０】
また、第１３の本発明は、受信電力が予め定められた値以下になったかどうかを判断する受信電力判断部を備え、
前記受信電力判断部が、前記受信電力が予め定められた前記値以下になったと判断した場合、前記駆動回路は、前記上側筐体、前記下側筐体、及び前記ヒンジ部のうち少なくとも１つを駆動する、第１２の本発明の携帯無線装置である。
【００２１】
また、第１４の本発明は、前記上側筐体第１分割体に配置されたディスプレイを備え、
前記上側筐体第２分割体は、前記ディスプレイのフレームである、第８の本発明の携帯無線装置である。
【００２２】
また、第１５の本発明は、前記上側筐体第１分割体には、少なくとも１つの前記アンテナが配置されている、第１４の本発明の携帯無線装置である。  
【００２３】
また、第１６の本発明は、前記上側筐体第２分割体には前記音孔部が配置されている、第１４の本発明の携帯無線装置である。
【００２４】
また、第１７の本発明は、圧力を検知する圧力センサを備え、
前記駆動回路が駆動中に、前記圧力センサが所定の圧力以上の圧力を検知した場合、前記駆動回路は、駆動を停止する、第１２の本発明の携帯無線装置。
【００２５】
また、第１８の本発明は、前記第１上側筐体及び前記第２上側筐体のうち少なくとも一つの上側筐体の全部または一部は、導電性材料で形成されており、前記アンテナ素子の全部または一部を兼ねている、第１の本発明の携帯無線装置である。
【００２６】
また、第１９の本発明は、前記上側筐体第１分割体及び前記上側筐体第２分割体のうち少なくとも一つの分割体の全部または一部が導電性材料で形成されており、前記アンテナ素子の全部または一部を兼ねている、第８の本発明の携帯無線装置である。
【００２７】
また、第２０の本発明は、前記アンテナ素子が２つ以上設けられている場合、すくなくとも１つの前記アンテナ素子は、無給電である、第１または８の本発明の携帯無線装置である。
【００２８】
また、第２１の本発明は、前記第１上側筐体、前記第２上側筐体、及び前記下側筐体を折り畳んだ際に、前記第２上側筐体は、前記第１上側筐体及び前記下側筐体に挟まれる位置にあり、
前記第２上側筐体に配置された前記アンテナ素子は、給電され、
前記第１上側筐体に配置された前記アンテナ素子は、無給電とされる、第１の本発明の携帯無線装置である。
【００２９】
また、第２２の本発明は、前記第１上側筐体、前記第２上側筐体、及び前記下側筐体を折り畳んだ際に、前記第２上側筐体は、前記第１上側筐体及び前記下側筐体に挟まれる位置にあり、
前記第１上側筐体に配置された前記アンテナ素子は、給電され、
前記第２上側筐体に配置された前記アンテナ素子は、無給電とされる、第１の本発明の携帯無線装置である。
【００３０】
また、第２３の本発明は、前記上側筐体第１分割体及び前記上側筐体第２分割体には、それぞれ少なくとも１つの前記アンテナ素子が配置されており、
前記上側筐体第１分割体に配置された前記アンテナ素子は、給電され、
前記上側筐体第２分割体に配置された前記アンテナ素子は、無給電とされる、第８の本発明の携帯無線装置である。
【００３１】
また、第２４の本発明は、前記上側筐体第１分割体及び前記上側筐体第２分割体には、それぞれ少なくとも１つの前記アンテナ素子が配置されており、
前記上側筐体第２分割体に配置された前記アンテナ素子は、給電され、
前記上側筐体第１分割体に配置された前記アンテナ素子は、無給電とされる、第８の本発明の携帯無線装置である。
【００３２】
また、第２５の本発明は、前記アンテナ素子は複数であり、
前記複数のアンテナ素子のうち、人体から最も遠い場所に位置するアンテナ素子によって送信を行う、第１または８の本発明の携帯無線装置である。
【００３３】
また、第２６の本発明は、前記アンテナ素子は複数であり、
前記複数のアンテナ素子のうち少なくとも１つのアンテナ素子は、少なくとも２つの異なる周波数帯で共振する、第１または８の本発明の携帯無線装置である。
【００３４】
また、第２７の本発明は、前記アンテナ素子は複数であり、
前記複数のアンテナ素子のうち少なくとも２つのアンテナ素子は、異なる周波数帯で共振する、第１または８の本発明の携帯無線装置である。
【００３５】
また、第２８の本発明は、前記アンテナ素子は、通話時に人体から遠い場所に位置するものほど、高い周波数帯で共振する、第２７の本発明の携帯無線装置である。
【００３６】
また、第２９の本発明は、前記アンテナ素子は複数であり、
前記複数のアンテナ素子を用いてダイバーシチを行う、第１または８の本発明の携帯無線装置である。
【００３７】
また、第３０の本発明は、前記アンテナ素子は複数であり、
前記複数のアンテナ素子を用いて最大比合成を行う、第１または８の本発明の携帯無線装置である。
【００３８】
また、第３１の本発明は、前記アンテナ素子は複数であり、
前記複数のアンテナ素子を用いてアダプティブ制御を行う、第１または８の本発明の携帯無線装置である。
【００３９】
また、第３２の本発明は、複数の負荷回路と、
前記負荷回路を切り替えて使用するためのスイッチ回路とを備え、
前記アンテナ素子は複数であり、
前記複数のアンテナ素子のうち少なくとも１つのアンテナ素子の一部に前記スイッチ回路が接続されており、
前記スイッチ回路は、複数の周波数帯のうち使用する周波数帯に応じて前記負荷回路を切り替えて前記アンテナ素子に接続する、第１または８の本発明の携帯無線装置である。
【発明の効果】
【００４０】
本発明によれば、ＳＡＲを低く抑えることが可能で、かつ受信感度のよい携帯無線装置を提供することが出来る。
【発明を実施するための最良の形態】
【００４１】
以下に、本発明の実施の形態を図面を参照して説明する。
【００４２】
なお、本発明は下記の実施の形態に限定されるものではない。
【００４３】
（実施の形態１）
図１（ａ）は、本発明の実施の形態１の２つ折り式携帯無線装置を開いた状態での平面図であり、図１（ｂ）は第１動作位置での側面図である。図２は無線回路１１０内のダイバーシチ制御部の構成図である。図４は第２動作位置での側面図である。
【００４４】
図１（ａ）および図１（ｂ）において、携帯無線装置１０１は、第１上側筐体１０２１、第２上側筐体１０２２および下側筐体１０３がヒンジ部１０４を介して折り畳み可能となるように接続されている。第１上側筐体１０２１および第２上側筐体１０２２は一部あるいは全部が導電性材料で構成された音孔部側上側筐体１０２１ａ、１０２２ａと反音孔部側上側筐体１０２１ｂ、１０２２ｂとで構成されている。
【００４５】
ディスプレイ１０５は第２上側筐体１０２２の折り畳まれた内側の面となる音孔部側上側筐体１０２２ａ上に配置されている。通話時に相手の音声が聞こえる音孔部１０６は音孔部側上側筐体１０２２ａ上であってヒンジ部１０４と反対側となるディスプレイ１０５の近傍に配置されている。マイク１０７は下側筐体１０３上でヒンジ部１０４と反対側となる下端部付近に配置されている。電池１０８は下側筐体１０３のマイク１０７とは反対側の面に配置されている。下側基板１０９は下側筐体１０３の内部に配置されている。下側基板１０９上に無線回路１１０が配置されている。給電線１１２の一方の端部は無線回路１１０上の接続部１１１に接続され、円形で貫通孔を有する他端はネジ１１３とネジ受部１１５により音孔部側上側筐体１０２２ａと電気的に接続されるようにネジ止めされている。同様に、給電線１１２の一方の端部は無線回路１１０上の接続部１１１に接続され、円形で貫通孔を有する他端はネジ１１３とネジ受部１１５により音孔部側上側筐体１０２１ａと電気的に接続されるようにネジ止めされている。この場合、音孔部側上側筐体１０２１ａ、１０２２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。
【００４６】
図１（ｂ）において、第１上側筐体１０２１と第２上側筐体１０２２は３０°だけ離れている。第２上側筐体１０２２と下側筐体１０３は１６０°だけ離れている。図４において、第１上側筐体１０２１と第２上側筐体１０２２は隣接しており、下側筐体１０３と１６０°だけ離れている。
【００４７】
また、図２において、無線回路１１０はスイッチ２０１、制御部２０２および受信回路２０３で構成され、音孔部側上側筐体１０２１ａおよび１０２２ａから入ってくる電波を制御部２０２において、電力の強い方を判断し、それに応じて音孔部側上側筐体１０２１ａから入ってくる電力の方が大きい場合は、端子３０１ａと端子３０１ｃをつなぎ、音孔部側上側筐体１０２２ａから入ってくる電力の方が大きい場合は、端子３０１ｂと端子３０１ｃをつなぐ。
【００４８】
以上のように構成された２つ折り式携帯無線装置において、音声、データ、画像等を送信する場合には、無線回路１１０において高周波信号に変換された送信信号は接続部１１１から給電線１１２を介して音孔部側上側筐体１０２１ａに入力され、電波として空間に放射される。
【００４９】
次に、音声、データ、画像等を受信する場合には、音孔部側上側筐体１０２１ａおよび１０２２ａでダイバーシチ受信され、給電線１１２を介して接続部１１１へ入力され、接続部１１１から無線回路１１０へ入力され、無線回路１１０の他の回路ブロックにおいて高周波信号から復調される。
【００５０】
何も操作を行わないときは、携帯無線装置は閉じた状態にある。メールを読む、作成する、動画を見る、写真を見るなど通信を伴わない操作、もしくは通信を伴ったとしても、耳、顔および頭のいずれか１つ以上の部位に近接することがない場合は、図４の第２動作位置の状態で携帯無線装置を使用する。そして、通話など耳、顔および頭などの人体に近接して通信を行う場合は、図１（ｂ）の第１動作位置の状態で携帯無線装置を使用する。
このように、上側筐体の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。そして、送信アンテナが耳、顔および頭などの人体から離れることによって更なるＳＡＲ低減が期待できる。しかも、送信アンテナおよび受信アンテナとして使用する少なくとも１つのアンテナは人体から離れているため、人体によって生ずるアンテナへの影響を最小化でき、受信に関してはそのアンテナを用いてダイバーシチ受信を行っているため、送受信とも非常に受信感度のよい通信が可能となる。さらに、第２上側筐体１０２２は人体と第１上側筐体１０２１とを遮蔽する効果もあるため、更なるＳＡＲ低減が期待できる。また、第２上側筐体１０２２は第１上側筐体１０２１の反射板として用いることにより、アンテナの指向性制御にも利用できる。
【００５１】
なお、本実施の形態では給電線１１２と、音孔部側第１上側筐体１０２１ａ及び音孔部側第２上側筐体１０２２ａとを電気的に接続されるようネジ止めする構成例について示しているが、これに限定されるものではない。ネジ止めをしない場合でも音孔部側第１上側筐体１０２１ａ及び音孔部側第２上側筐体１０２２ａと、給電線１１２が安定して接続されていれば同様の効果が期待できることは言うまでもない。
【００５２】
なお、図３に示すように音孔部側第１上側筐体１０２１ａの表面の一部あるいは全部に誘電体材料あるいは磁性体材料等で構成された薄いシール３０１を張ることで人体の一部が直接アンテナとして動作する音孔部側第１上側筐体１０２１ａに触れることを防ぐことが可能となり、通話時において人体によるアンテナ特性の劣化を少なくすることが期待できる。また、アンテナと人体との距離を大きくすることができるため、ＳＡＲを低く抑えることが期待できることはもちろんのことである。
【００５３】
なお、本実施の形態では円筒形のヒンジ部１０４を用いる構成例について説明したがこれに限定されるものではない。例えばヒンジ部１０４として、四角柱形のものや三角中継のもの、あるいは楕円柱形のものを用いても構わない。要するにヒンジ部１０４は、第１上側筐体１０２１と第２上側筐体１０２２と下側筐体１０３とを接続し、第１上側筐体１０２１及び第２上側筐体１０２２と、下側筐体１０３とが折り畳み可能になるようにするものであれば、その形状はどのようなものであっても構わない。
【００５４】
なお、本実施の形態では、第１上側筐体１０２１と第２上側筐体１０２２は３０°だけ離れているとしたが、これに限らず、この角度はアンテナが人体の影響を受けず最適に作用し、ＳＡＲが低くなるように設定すればよいということは言うまでもない。
【００５５】
なお、本実施の形態では、第２上側筐体１０２２と下側筐体１０３は１６０°だけ離れているとしたが、これに限らず、この角度はディスプレイ１０５の見やすさ、通話のしやすさなどの操作性がよいように設定すればよいということは言うまでもない。
【００５６】
なお、第１上側筐体１０２１と第２上側筐体１０２２との角度は固定値である必要はなく、アンテナ特性が最適になるように自動に変化してもよいということはいうまでもない。
【００５７】
なお、本実施の形態では、受信のみダイバーシチ受信するとしたが、ＳＡＲが基準値を超えないという限定のもとでなら、ダイバーシチ送信を行ってもよいということは言うまでもない。
【００５８】
なお、本実施の形態では、下側筐体１０３に接続されている上側筐体は２つであるが、これに限るものではなく、３つ以上の上側筐体が接続されていてもよいということは言うまでもない。
【００５９】
なお、本実施の形態では、携帯無線装置が通話時など耳、顔および頭などの人体に近接した状態で通信を行うときに限ってのみ、第１動作位置の状態で使用するとしたが、これに限らず、メールの送受信など耳、顔および頭などの人体に近接しない通信の場合でも、第１動作位置の状態で使用してもよいということは言うまでもない。
【００６０】
なお、本実施の形態は２つ折り式の携帯無線装置で説明したが、これに限らずストレート式の携帯無線装置でもよいということは言うまでもない。また、この場合は、一例として図５に示すように、ストレート式の筐体の真中より上側に第１上側筐体１０２１を接続すればよい。図５（ａ）はストレート式携帯無線装置が、閉じた状態にあるときの図で、（ｂ）は、開いた状態にあるときの図である。図５（ａ）、（ｂ）両図とも側面図である。なお、図５（ａ）及び図５（ｂ）において、図１（ａ）、図１（ｂ）に示した携帯無線装置１０１と同一部分については同一符号を付して説明を省略する。
【００６１】
なお、筐体アンテナは複数の周波数帯で動作可能なマルチバンドアンテナであってもよいということは言うまでもない。
【００６２】
なお、本実施の形態では筐体アンテナを各上側筐体に１つずつ備え付けた場合について説明したが、これに限らずアンテナは複数個あってもよいということはいうまでもない。また、このときアンテナを備え付ける場所は上側筐体、下側筐体、ヒンジ部を問わないということはいうまでもない。
【００６３】
なお、本実施の形態では、筐体アンテナの例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体だけに限らず下側筐体に備え付けてもよいということは言うまでもない。一部あるいは全部が導電性材料で構成され、アンテナの一部あるいは全部として機能するブーム部の例については図１６に示す。
【００６４】
なお、本実施の形態では、音孔部側上側筐体１０２１ａおよび１０２２ａの両方を給電するとしたが、これに限らずどちらか一方を無給電にしてもよいということは言うまでもない。またこのとき、音孔部側上側筐体１０２１ａを無給電にすることにより、音孔部側上側筐体１０２１ａは音孔部側上側筐体１０２２ａの導波器の代わりとして用いることができるため、人体と反対方向にアンテナの指向性を形成でき、ＳＡＲを低く抑える効果がある。また、音孔部側上側筐体１０２２ａを無給電とすることにより、音孔部側上側筐体１０２２ａは音孔部側上側筐体１０２１ａの反射器の代わりとして用いることができるため、人体と反対方向にアンテナの指向性を形成でき、ＳＡＲを低く抑える効果がある。
【００６５】
なお、本実施の形態では、携帯無線装置は第２動作位置から第１動作位置に移るとき、第１上側筐体１０２１が第２上側筐体１０２２から離れる方向に動くとしたが、これに限らず、第２上側筐体１０２２が第１上側筐体１０２１から離れ、下側筐体１０３に近づく方向に動いてもよいということは言うまでもない。
【００６６】
（実施の形態２）
本実施の形態２では、実施の形態１で示した携帯無線装置を用いて、ＳＡＲを低く抑えたまま、８００ＭＨｚと２ＧＨｚで共振する複数の周波数帯で動作が可能な例を示す。実施の形態１と同様の部分については説明を省く。
【００６７】
携帯無線装置の第２上側筐体１０２２が８００ＭＨｚで共振するアンテナの一部あるいは全部を兼ね、第１上側筐体１０２１が２ＧＨｚで共振するアンテナの一部あるいは全部を兼ねる。
【００６８】
このようにより高い周波数で共振するアンテナを耳、顔および頭などの人体から遠い場所に位置する上側筐体に備え付けることにより、ＳＡＲを低減しつつ、複数の周波数帯で動作させることが可能である。
【００６９】
なお、本実施の形態２では、８００ＭＨｚと２ＧＨｚで共振する携帯無線装置について説明したが、共振する周波数はこれに限るものではないということは言うまでもなく、また、そのような場合は高い方の周波数で共振するアンテナをＳＡＲが低減される（例えば、実施の形態１においては、第１上側筐体１０２１のように、耳、顔および頭などの人体から遠い場所に位置する）筐体に備え付ければよい。
【００７０】
なお、本実施の形態２では、８００ＭＨｚと２ＧＨｚで共振するといったように、２つの周波数帯で動作する携帯無線装置について説明したが、これに限るものではなく、３つ以上の周波数帯で動作する携帯無線装置であってもよいということは言うまでもない。また、そのようなときは、ＳＡＲが基準値を超えないように、アンテナを各上側筐体に備え付ければよい。例えば、８００ＭＨｚ、１．８ＧＨｚ、２ＧＨｚの３つの周波数帯で動作する携帯無線装置の場合、第２上側筐体１０２２が低い方の周波数である８００ＭＨｚで共振するアンテナの一部あるいは全部を兼ね、第１上側筐体１０２１が１．８ＧＨｚと２ＧＨｚの２周波数帯で動作が可能なマルチバンドアンテナの一部あるいは全部を兼ねる。また、その他にも、第２上側筐体１０２２が８００ＭＨｚで共振するアンテナの一部あるいは全部を兼ね、第１上側筐体１０２１が１．８ＧＨｚで共振するアンテナと、２ＧＨｚで共振するアンテナの一部あるいは全部を兼ねる。また、その他にも、携帯無線装置に、第１上側筐体１０２１を基点に第２上側筐体１０２２とは反対側に新たに第３上側筐体１０２３を追加し、第２上側筐体１０２２が低い方の周波数である８００ＭＨｚで共振するアンテナの一部あるいは全部を兼ね、第１上側筐体１０２１が次に低い周波数である１．８ＧＨｚで共振するアンテナの一部あるいは全部を兼ね、第３上側筐体１０２３が２．０ＧＨｚで共振するアンテナの一部あるいは全部を兼ねるといったように、高い周波数で共振するアンテナほど、耳、顔および頭などの人体から遠い場所に位置する上側筐体に備え付けてもよい。
【００７１】
（実施の形態３）
本実施の形態３では、実施の形態１の携帯無線装置であって、自動で上側筐体１０２１が動く例について示す。実施の形態１と同様の部分については同一符号を付して説明を省く。
【００７２】
図１７（ａ）は、本発明の実施の形態３の２つ折り式携帯無線装置を開いた状態での平面図であり、図１７（ｂ）は第１動作位置での側面図である。
【００７３】
図１７（ａ）および図１７（ｂ）において、上側筐体１０２１と上側筐体１０２２はヒンジ部１０４近傍に備えた開閉部１７０１により接続されており、下側筐体１０３は通話ボタン１７０２、電源ＯＮ／ＯＦＦボタン１７０３および開閉ボタン１７０４を備えている。通話信号を受信または送信する際、通話ボタン１７０２を押すと、開閉部１７０１に命令が伝わり、上側筐体１０２１が上側筐体１０２２から離れ、携帯無線装置１０１が第１動作位置の状態となる。通話が終わり、電源ＯＮ／ＯＦＦボタン１７０３を押すと、開閉部１７０１に命令が伝わり、上側筐体１０２１が上側筐体１０２２にくっつき、携帯無線装置１０１が第２動作位置の状態となる。
【００７４】
通話信号を受信または送信するとき以外に通話ボタン１７０２を押しても開閉部１７０１には命令は伝わらず、上側筐体１０２１は動かない。また、通話時以外に電源ＯＮ／ＯＦＦボタン１７０３を押しても開閉部１７０１には命令は伝わらず上側筐体１０２１は動かない。
【００７５】
開閉ボタン１７０４を押すと、通話時以外でも上側筐体１０２１を動かすことが可能で、携帯無線装置１０１が第１動作位置の状態にあるときに、開閉ボタン１７０４を押すと、上側筐体１０２１が上側筐体１０２２にくっつく方向に動き、携帯無線装置１０１は第２動作位置の状態となる。
【００７６】
携帯無線装置１０１が第２動作位置の状態にあるときに、開閉ボタン１７０４を押すと、上側筐体１０２１が上側筐体１０２２から離れる方向に動き、携帯無線装置１０１は第１動作位置の状態となる。
【００７７】
また、通話信号を受信または送信する際に、携帯無線装置１０１が第１動作位置の状態にあるときは、通話ボタン１７０２を押しても上側筐体１０２１は動かない。同様にして、通話終了時に携帯無線装置１０１が第２動作位置の状態であるときは、電源ＯＮ／ＯＦＦボタン１７０３を押しても、上側筐体１０２１は動かない。
【００７８】
また、携帯無線装置１０１は、駆動回路１７０５と受信電力判断部１７０６を下側筐体１０３に備えており、圧力センサ１７０７を上側筐体１０２１に備えている。駆動回路１７０５と、受信電力判断部１７０６と、上側筐体１０２１とはそれぞれ接続されている。圧力センサ１７０７は駆動回路１７０５と接続されている。
【００７９】
携帯無線装置１０１が第１動作位置の状態にあるとき、音孔部側上側筐体１０２１ａで受信された信号が受信電力判断部１７０６に入力され、受信電力判断部１７０６において、音孔部側上側筐体１０２１ａで受信された信号の電力がある基準値より低いということが感知されると駆動回路１７０５に命令が伝わり、駆動回路１７０５によって音孔部側上側筐体１０２１ａで受信された信号の電力がある基準値を超えるまで上側筐体１０２１を動かす。
【００８０】
このとき、人の指などが上側筐体１０２１と上側筐体１０２２に挟まれ、圧力センサ１７０７がある基準値以上の圧力を感知したら、駆動回路１７０５に命令が伝わり、上側筐体１０２１を停止させる。こうすることにより、指を挟まれで怪我をする心配はない。
このような構成とすることにより、安全に常に良好な受信感度を保つことが可能である。
【００８１】
なお、本実施の形態では開閉部１７０１を用いたが、これに限らず開閉部１７０１をヒンジ部１０４で代用してもよいことは言うまでもない。
【００８２】
なお、本実施の形態では、携帯無線装置は第２動作位置から第１動作位置に移るとき、第１上側筐体１０２１が第２上側筐体１０２２から離れる方向に動くとしたが、これに限らず、第２上側筐体１０２２が第１上側筐体１０２１から離れ、下側筐体１０３に近づく方向に動いてもよいということは言うまでもない。
【００８３】
（実施の形態４）
本実施の形態４では、実施の形態１の携帯無線装置とは異なる形状で、ＳＡＲを低く抑えることが可能で、かつ、受信感度のよい携帯無線装置の例を示す。実施の形態１と同様の部分については同一符号を付して説明を省く。
【００８４】
図６（ａ）は、本発明の実施の形態４の２つ折り式携帯無線装置を開いた状態での平面図であり、図６（ｂ）は第３動作位置での側面図である。図７は第４動作位置での側面図である。図１９は無線回路１１０内の最大比合成制御部の構成図である。
【００８５】
図６（ａ）および図６（ｂ）において、携帯無線装置１０１は、上側筐体６０１および下側筐体１０３がヒンジ部１０４を介して折り畳み可能となるように接続されている。上側筐体６０１は、上側筐体軸部６０２と上側筐体付属部６０３が接続部６０４により接続されたものであり、接続部６０４によって上側筐体軸部６０２と上側筐体付属部６０３はくっついたり離れたりすることが可能であるので、上側筐体６０１の幅は可変である。第３動作位置では、図６（ｂ）のように、上側筐体軸部６０２と上側筐体付属部６０３は３０°離れた状態で接続されている。
【００８６】
上側筐体軸部６０２および上側筐体付属部６０３は一部あるいは全部が導電性材料で構成された音孔部側上側筐体軸部６０２ａおよび音孔部側上側筐体付属部６０３ａと反音孔部側上側筐体軸部６０２ｂおよび反音孔部側上側筐体付属部６０３ｂとで構成されている。
【００８７】
ディスプレイ１０５は上側筐体軸部６０２の折り畳まれた内側の面となる音孔部側上側筐体軸部６０２ａ上に配置されている。通話時に相手の音声が聞こえる音孔部１０６は音孔部側上側筐体軸部６０２ａ上であってヒンジ部１０４と反対側となるディスプレイ１０５の近傍に配置されている。マイク１０７は下側筐体１０３上でヒンジ部１０４と反対側となる下端部付近に配置されている。電池１０８は下側筐体１０３のマイク１０７とは反対側の面に配置されている。下側基板１０９は下側筐体１０３の内部に配置されている。下側基板１０９上に無線回路１１０が配置されている。給電線１１２の一方の端部は無線回路１１０上の接続部１１１に接続され、円形で貫通孔を有する他端はネジ１１３とネジ受部１１５により音孔部側上側筐体軸部６０２ａと電気的に接続されるようにネジ止めされている。同様に、給電線１１２の一方の端部は無線回路１１０上の接続部１１１に接続され、円形で貫通孔を有する他端はネジ１１３とネジ受部１１５により音孔部側上側筐体付属部６０３ａと電気的に接続されるようにネジ止めされている。この場合、音孔部側上側筐体軸部６０２ａおよび音孔部側上側筐体付属部６０３ａは一部あるいは全部がマグネシウムや亜鉛等の導電性材料で構成されており、基地局への信号の送信および基地局からの信号の受信を行うアンテナの一部あるいは全部を兼ねている。上側筐体６０１と下側筐体１０３は１６０°だけ離れている。第４動作位置では、図７のように、上側筐体軸部６０２と上側筐体付属部６０３は隣接しており、上側筐体６０１と下側筐体１０３は１６０°だけ離れている。
【００８８】
図１９において、無線回路１１０は、振幅調整器１９０２ａ、１９０２ｂおよび可変移相器１９０３ａ、１９０３ｂで構成される振幅位相調整部１９０１、制御部１９０４、合成器１９０５および受信回路２０３で構成され、音孔部側上側筐体軸部６０２ａおよび音孔部側上側筐体付属部６０３ａから入ってくる電波を制御部１９０４において電力比を求め、その電力比を各信号の振幅比とし、振幅調整器１９０２ａおよび１９０２ｂを制御する。そして、各信号の位相が同相になるように可変移相器１９０３ａおよび１９０３ｂを制御する。そして、振幅・位相調整部１９０１において音孔部側上側筐体軸部６０２ａおよび音孔部側上側筐体付属部６０３ａから入ってくる信号の振幅と位相を制御して、合成器１９０５において二つの信号を合成する。
【００８９】
以上のように構成された２つ折り式携帯無線装置において、音声、データ、画像等を送信する場合には、無線回路１１０において高周波信号に変換された送信信号は接続部１１１から給電線１１２を介して音孔部側上側筐体軸部６０２ａまたは音孔部側上側筐体付属部６０３ａに入力され、電波として空間に放射される。
【００９０】
次に、音声、データ、画像等を受信する場合には、音孔部側上側筐体軸部６０２ａおよび音孔部側上側筐体付属部６０３ａで受信された受信信号は、給電線１１２を介して接続部１１１へ入力され、接続部１１１から無線回路１１０へ入力され、無線回路１１０の受信回路２０３において高周波信号から復調される。
【００９１】
何も操作を行わないときは、携帯無線装置１０１は閉じた状態にある。メールを読む、作成する、動画を見る、写真を見るなど通信を伴わない操作、もしくは通信を伴ったとしても、耳、顔および頭などの人体に近接することがない場合は、図７の第４動作位置の状態で携帯無線装置１０１を使用する。そして、通話など耳、顔および頭などの人体に近接して通信を行う場合は、図６（ｂ）の第３動作位置の状態で携帯無線装置１０１を使用する。
【００９２】
このように、上側筐体の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。そして、送信アンテナが耳、顔および頭などの人体から離れることによって更なるＳＡＲ低減が期待できる。しかも、送信アンテナおよび受信アンテナとして使用する少なくとも１つのアンテナは人体から離れているため、人体によって生ずるアンテナへの影響を最小化でき、受信に関してはそのアンテナを用いて最大比合成を行っているため、雑音電力に対する信号電力比が高くなり、送受信とも非常に受信感度のよい通信が可能となる。さらに、上側筐体軸部６０２は人体と上側筐体付属部６０３とを遮蔽する効果もあるため、更なるＳＡＲ低減が期待できる。また、上側筐体軸部６０２は上側筐体付属部６０３の反射板として用いることにより、アンテナの指向性制御にも利用できる。
【００９３】
なお、図８に示すように音孔部側上側筐体軸部６０２ａの表面の一部あるいは全部に誘電体材料あるいは磁性体材料等で構成された薄いシール３０１を張ることで人体の一部が直接アンテナとして動作する音孔部側上側筐体軸部６０２ａに触れることを防ぐことが可能となり、通話時において人体によるアンテナ特性の劣化を少なくすることが期待できる。また、アンテナと人体との距離を大きくすることができるため、ＳＡＲを低く抑えることが期待できることはもちろんのことである。
【００９４】
なお、本実施の形態では薄いシール３０１を筐体上に貼付する場合について説明したが、これに限定されるものではなく、例えばマグネシウム等からなる音孔部側上側筐体軸部６０２ａの表面に樹脂等を塗布することで同様の効果が期待できることはもちろんのことである。
【００９５】
なお、本実施の形態では円筒形のヒンジ部１０４を用いる構成例について説明したがこれに限定されるものではない。例えばヒンジ部１０４として、四角柱形のものや三角中継のもの、あるいは楕円柱形のものを用いても構わない。要するにヒンジ部１０４は、上側筐体６０１と下側筐体１０３とを接続し、上側筐体６０１と下側筐体１０３とが折り畳み可能になるようにするものであれば、その形状はどのようなものであっても構わない。
【００９６】
なお、本実施の形態では、上側筐体軸部６０２と上側筐体付属部６０３は３０°だけ離れているとしたが、これに限らず、この角度はアンテナが人体の影響を受けず最適に作用し、ＳＡＲが低くなるように設定すればよいということは言うまでもない。
【００９７】
なお、本実施の形態では、上側筐体６０１と下側筐体１０３は１６０°だけ離れているとしたが、これに限らず、この角度はディスプレイ１０５の見やすさ、通話のしやすさなどの操作性がよいように設定すればよいということは言うまでもない。
【００９８】
なお、上側筐体軸部６０２と側上側筐体付属部６０３との角度は固定値である必要はなく、アンテナ特性が最適になるように自動に変化してもよいということはいうまでもない。
【００９９】
なお、本実施の形態では、上側筐体付属部は１つとしたが、これに限るものではなく、２つ以上あってもよいということは言うまでもない。
【０１００】
なお、本実施の形態では、携帯無線装置１０１が耳、顔および頭などの人体に近接した状態で通信を行うときに限ってのみ、第３動作位置の状態で使用するとしたが、これに限らず、メールの送受信など耳、顔および頭などの人体に近接しない通信の場合でも、第３動作位置の状態で使用してもよいということは言うまでもない。
【０１０１】
なお、本実施の形態は２つ折り式の携帯無線装置１０１で説明したが、これに限らずストレート式の携帯無線装置でもよいということは言うまでもない。また、この場合は、一例として図１０に示す。図１０（ａ）はストレート式携帯無線装置が、閉じた状態にあるときの図で、図１０（ｂ）は、開いた状態にあるときの図である。図１０（ａ）、図１０（ｂ）両図とも側面図である。なお、図１０（ａ）及び図１０（ｂ）において、上記各実施の形態と同一部分については同一符号を付して説明を省略する。
【０１０２】
なお、筐体アンテナは複数の周波数帯で動作可能なマルチバンドアンテナであってもよいということは言うまでもない。
【０１０３】
なお、本実施の形態では筐体アンテナを上側筐体軸部６０２と上側筐体付属部６０３に１つずつ備え付けた場合について説明したが、これに限らずアンテナは複数個あってもよいということはいうまでもない。また、このときアンテナを備え付ける場所は上側筐体６０１、下側筐体１０３、ヒンジ部１０４を問わないということはいうまでもない。
【０１０４】
なお、本実施の形態では、筐体アンテナの例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体６０１だけに限らず下側筐体１０３に備え付けてもよいということは言うまでもない。
【０１０５】
なお、本実施の形態では、音孔部側上側筐体軸部６０２ａおよび音孔部側上側筐体付属部６０３ａの両方を給電するとしたが、これに限らずどちらか一方を無給電にしてもよいということは言うまでもない。またこのとき、音孔部側上側筐体軸部６０２ａを無給電にすることにより、音孔部側上側筐体軸部６０２ａは音孔部側上側筐体付属部６０３ａの導波器の代わりとして用いることができるため、人体と反対方向にアンテナの指向性を形成でき、ＳＡＲを低く抑える効果がある。また、音孔部側上側筐体付属部６０３ａを無給電とすることにより、音孔部側上側筐体付属部６０３ａは音孔部側上側筐体軸部６０２ａの反射器の代わりとして用いることができるため、人体と反対方向にアンテナの指向性を形成でき、ＳＡＲを低く抑える効果がある。
【０１０６】
図１１に上側筐体軸部６０２ａを無給電としたときの構成例を示す。図１１（ａ）は、２つ折り式携帯無線装置を開いた状態での平面図であり、図１１（ｂ）は第３動作位置での側面図である。図１２は第４動作位置での側面図である。図１４はストレート式形態無線装置の例である。なお、図１１（ａ）、図１１（ｂ）、図１４において、上記各実施の形態と同一部分については同一符号を付して説明を省略する。
【０１０７】
なお、本実施の形態では図１９のような無線回路を用いて最大比合成を行うとしたが、例えば図２０に示すように、アダプティブ制御を行っても構わない。すなわち、図２０において、無線回路１１０は、振幅調整器１９０２ａ、１９０２ｂおよび可変移相器１９０３ａ、１９０３ｂで構成される振幅位相調整部１９０１、制御部１９０４、合成器１９０５および受信回路２０３で構成されている。そして、音孔部側上側筐体軸部６０２ａおよび音孔部側上側筐体付属部６０３ａから入ってくる受信信号と合成器１９０５において合成された信号を用いて、制御部１９０４においてアダプティブ制御を行い、振幅調整器１９０２ａおよび１９０２ｂと、可変移相器１９０３ａおよび１９０３ｂを制御し、音孔部側上側筐体軸部６０２ａおよび音孔部側上側筐体付属部６０３ａから入ってくる信号の振幅と位相を調整するといったアダプティブ制御を行う。
【０１０８】
なお、本実施の形態では、上側筐体付属部６０３は携帯無線装置１０１を折り畳んだとき、上側筐体軸部６０２の下側筐体１０３と隣接しない方の面に接続されているが、これに限らず、上側筐体軸部６０２の折り畳まれた内側の面に接続されていてもよいということは言うまでもない。
【０１０９】
なお、本実施の形態で示した携帯無線装置１０１とは異なる構成例を図１３に示す。なお、図１３において、上記各実施の形態と同一部分については、同一符号を付して説明を省略する。図１３（ａ）は第３動作位置での側面図であり、図１３（ｂ）は第４動作位置での側面図である。開いた状態での平面図は図６（ａ）と同様である。接続部６０４は接点１３０１で上側筐体付属部６０３とつながっており、接点１３０２で上側筐体軸部６０２とつながっている。携帯無線装置が第４動作位置から第３動作位置に移るとき接点１３０２は上側筐体軸部とつながったまま下の方へずれる。
【０１１０】
さらに別の構成例を図１８に示す。なお、図１８において、上記各実施の形態と同一部分については、同一符号を付して説明を省略する。図１８（ａ）は、第３動作位置での側面図であり、図１８（ｂ）は第４動作位置での側面図である。開いた情愛での平面図は図６（ａ）と同様である。図１８（ｂ）において接続部６０４は第４動作位置の状態ではくの字型に折れ曲がっており、携帯無線装置１０１が第３動作位置に移るとき、図１８（ａ）に示すように、接続部６０４が開く。
【０１１１】
さらに別の構成例を図２１に示す。なお、図２１において、上記各実施の携帯と同一部分については、同一符号を付して説明を省略する。図２１（ａ）は携帯無線装置１０１が第３動作位置にあるときの側面図で、図２１（ｂ）は第４動作位置にあるときの図である。図２１において、上側筐体付属部６０３はディスプレイ１０５のフレームであり、上側筐体軸部６０２の携帯無線装置１０１を折り畳んだときの内側の面に接続されている。音孔部１０６は上側筐体付属部６０３のヒンジ部１０４とは反対側の端に備え付ける。携帯無線装置１０１が第４動作位置の状態であるとき、図２１（ｂ）に示すように、接続部６０４はくの字型に折れ曲がっている。こうすることにより、ディスプレイのフレームが飛び出すという大変おもしろい構造であるため、デザイン性の向上が図れる。
【０１１２】
なお、上側筐体付属部６０３の厚みは上側筐体軸部６０２と同じである必要はなく、できるだけ薄いほうがよいということはいうまでもない。
【０１１３】
（実施の形態５）
本実施の形態５では、実施の形態４で示した携帯無線装置を用いて、ＳＡＲを低く抑えたまま、８００ＭＨｚと２ＧＨｚで共振する複数の周波数帯で動作が可能な例を示す。実施の形態４と同様の部分については説明を省く。
【０１１４】
携帯無線装置１０１の上側筐体軸部６０２が８００ＭＨｚで共振するアンテナの一部あるいは全部を兼ね、上側筐体付属部６０３が２ＧＨｚで共振するアンテナの一部あるいは全部を兼ねる。
【０１１５】
このようにより高い周波数で共振するアンテナを耳、顔および頭などの人体から遠い場所に備え付けることにより、ＳＡＲを低減しつつ、複数の周波数帯で動作させることが可能である。
【０１１６】
なお、本実施の形態５では、８００ＭＨｚと２ＧＨｚで共振する携帯無線装置１０１について説明したが、共振する周波数はこれに限るものではないということは言うまでもなく、また、そのような場合は高い方の周波数で共振するアンテナをＳＡＲが低減される（例えば、実施の形態４においては、上側筐体付属部６０３のように、耳、顔および頭などの人体から遠い場所）位置に備え付ければよい。
【０１１７】
なお、本実施の形態５では、８００ＭＨｚと２ＧＨｚで共振するといったように、２つの周波数帯で動作する携帯無線装置について説明したが、これに限るものではなく、３つ以上の周波数帯で動作する携帯無線装置であってもよいということは言うまでもない。また、そのようなときは、ＳＡＲが基準値を超えないように、アンテナを上側筐体６０１に備え付ければよい。例えば、８００ＭＨｚ、１．８ＧＨｚ、２ＧＨｚの３つの周波数帯で動作する携帯無線装置の場合、上側筐体軸部６０２が低い方の周波数である８００ＭＨｚで共振するアンテナの一部あるいは全部を兼ね、上側筐体付属部６０３が１．８ＧＨｚと２ＧＨｚの２周波数帯で動作が可能なマルチバンドアンテナの一部あるいは全部を兼ねる。また、その他にも、上側筐体軸部６０２が８００ＭＨｚで共振するアンテナの一部あるいは全部を兼ね、上側筐体付属部６０３が１．８ＧＨｚで共振するアンテナと、２ＧＨｚで共振するアンテナの一部あるいは全部を兼ねる。
【０１１８】
（実施の形態６）
本実施の形態６では、実施の形態４の携帯無線装置であって、自動で上側筐体付属部６０３が動く例について示す。実施の形態４と同様の部分については同一符号を付して説明を省く。
【０１１９】
図２２の（ａ）は、本発明の実施の形態６の２つ折り式携帯無線装置を開いた状態での平面図であり、図２２の（ｂ）は第３動作位置での側面図である。
図２２の（ａ）および（ｂ）において、上側筐体軸部６０２と上側筐体付属部６０３はヒンジ部１０４近傍に備えた開閉部１７０１により接続されている。下側筐体１０３は通話ボタン１７０２、電源ＯＮ／ＯＦＦボタン１７０３および開閉ボタン１７０４を備えている。
【０１２０】
通話信号を受信または送信する際、通話ボタン１７０２を押すと、開閉部１７０１に命令が伝わり、上側筐体付属部６０３が上側筐体軸部６０２から離れ、携帯無線装置１０１が第３動作位置の状態となる。通話が終わり、電源ＯＮ／ＯＦＦボタン１７０３を押すと、開閉部１７０１に命令が伝わり、上側筐体付属部６０３が上側筐体軸部６０２にくっつき、携帯無線装置１０１が図２２（ｂ）に示すような第４動作位置の状態となる。
【０１２１】
通話信号を受信または送信するとき以外に通話ボタン１７０２を押しても開閉部１７０１には命令は伝わらず、上側筐体付属部６０３は動かない。また、通話時以外に電源ＯＮ／ＯＦＦボタン１７０３を押しても開閉部１７０１には命令は伝わらず上側筐体付属部６０３は動かない。
【０１２２】
開閉ボタン１７０４を押すと、通話時以外でも上側筐体付属部６０３を動かすことが可能で、携帯無線装置１０１が第３動作位置の状態にあるときに、開閉ボタン１７０４を押すと、上側筐体付属部６０３が上側筐体軸部６０２にくっつく方向に動き、携帯無線装置１０１は図２２（ｂ）に示すような第４動作位置の状態となる。携帯無線装置１０１が第４動作位置の状態にあるときに、開閉ボタン１７０４を押すと、上側筐体付属部６０３が上側筐体軸部６０２から離れる方向に動き、携帯無線装置１０１は第３動作位置の状態となる。
【０１２３】
また、通話信号を受信または送信する際に、携帯無線装置１０１が第３動作位置の状態にあるときは、通話ボタン１７０２を押しても上側筐体付属部６０３は動かない。同様にして、通話終了時に携帯無線装置１０１が第４動作位置の状態であるときは、電源ＯＮ／ＯＦＦボタン１７０３を押しても、上側筐体付属部６０３は動かない。
【０１２４】
また、携帯無線装置１０１は、駆動回路１７０５と受信電力判断部１７０６を下側筐体１０３に備えており、圧力センサ１７０７を上側筐体付属部６０３に備えている。駆動回路１７０５と、受信電力判断部１７０６と、上側筐体付属部６０３とはそれぞれ接続されている。圧力センサ１７０７は駆動回路１７０５と接続されている。
【０１２５】
携帯無線装置１０１が第３動作位置の状態にあるとき、音孔部側上側筐体付属部６０３ａで受信された信号が受信電力判断部１７０６に入力され、受信電力判断部１７０６において、音孔部側上側筐体付属部６０３ａで受信された信号の電力がある基準値より低いということが感知されると駆動回路１７０５に命令が伝わり、駆動回路１７０５によって音孔部側上側筐体付属部６０３ａで受信された信号の電力がある基準値を超えるまで上側筐体付属部６０３を動かす。このとき、人の指などが上側筐体軸部６０２と上側筐体付属部６０３に挟まれ、圧力センサ１７０７がある基準値以上の圧力を感知したら、駆動回路１７０５に命令が伝わり、上側筐体付属部６０３を停止させる。こうすることにより、指を挟まれで怪我をする心配はない。
【０１２６】
このような構成とすることにより、安全に常に良好な受信感度を保つことが可能である。
【０１２７】
なお、本実施の形態では開閉部１７０１を用いたが、これに限らず開閉部１７０１をヒンジ部１０４で代用してもよいことは言うまでもない。
【０１２８】
なお、実施の形態１から６で示したアンテナを、例えば図１５のように、スイッチ回路１５０１、第１の負荷回路１５０２および第２の負荷回路１５０３を無線回路１１０上に配置することにより、整合回路によって異なる周波数で共振するようにすることで複数の周波数帯をカバーすることが可能であることはもちろんのことである。例えば整合回路を切り替えることにより８００ＭＨｚ帯、１．５ＧＨｚ帯および２ＧＨｚ帯などの複数の周波数帯をカバーすることが可能であることはもちろんのことである。なお、図１５では、第１の負荷回路１５０２及び第２の負荷回路１５０３の２つの負荷回路が設けられているとして説明したが、２つ以上の負荷回路が設けられていても構わない。
【０１２９】
なお、実施の形態１から３では、第１上側筐体１０２１および第２上側筐体１０２２に含まれるアンテナが１つの場合についてのみ説明したが、これに限定されるものではなく、複数のアンテナを備えていてもよい。この場合、例えば伸縮可能なホイップアンテナや固定式のヘリカルアンテナといった外部アンテナや、逆Ｆアンテナやチップアンテナなどの内蔵アンテナと組み合わせることが考えられるが、この場合でも同様の効果が期待できる。  
【０１３０】
また、筐体に複数のアンテナを構成することが可能であることはもちろんのことである。    この場合、共振周波数が異なるようにそれぞれを設計することによりアンテナ特性を広帯域化することが可能である上、複数の周波数帯を同時にカバーすることが期待できる。また、このとき、これら複数のアンテナを用いて、ダイバーシチ受信、ダイバーシチ送信およびアダプティブ制御が行えるということは言うまでもない。
【０１３１】
なお、実施の形態４から６では、上側筐体軸部６０２および上側筐体付属部６０３に含まれるアンテナが１つの場合についてのみ説明したが、これに限定されるものではなく、複数のアンテナを備えていてもよい。この場合、例えば伸縮可能なホイップアンテナや固定式のヘリカルアンテナといった外部アンテナや、逆Ｆアンテナやチップアンテナなどの内蔵アンテナと組み合わせることが考えられるが、この場合でも同様の効果が期待できる。また、筐体に複数のアンテナを構成することが可能であることはもちろんのことである。この場合、共振周波数が異なるようにそれぞれを設計することによりアンテナ特性を広帯域化することが可能である上、複数の周波数帯を同時にカバーすることが期待できる。また、このとき、これら複数のアンテナを用いて、ダイバーシチ受信、ダイバーシチ送信およびアダプティブ制御が行えるということは言うまでもない。
【０１３２】
なお、本実施の形態1から６で示した構成はあくまでも一例であり、これに限定されるものではない。例えば、図中には示していないが、上側筐体の内部に上側基板が配置されていてもよい。この場合、例えば上側基板と下側基板がヒンジ部の内部を通るフレキシブル基板などにより接続されることが考えられるが、このような構成でも同様の効果が期待できることは当然のことである。
【０１３３】
なお、本実施の形態１から６で示した例はあくまで一例であって、構造上可能なものは組み合わせて用いてもよいということは言うまでもない。例えば、実施の形態１の携帯無線装置に実施の形態４の無線回路を組み込み最大比合成またはアダプティブ制御を行ってもよい。また、実施の形態４の携帯無線装置に実施の形態１の無線回路を組み込み選択ダイバーシチを行ってもよい。
【０１３４】
このように、本実施の形態によれば、送信アンテナが耳、顔および頭などの人体から離れることによってＳＡＲを低く抑えることが可能である。しかも、筐体の一部がアンテナを兼ねる構成であるため、電流が分散され、更なるＳＡＲの低減が期待できる。そして、送受信とも使用する少なくとも１つのアンテナは人体から離れているため、人体によって生ずるアンテナへの影響を最小化できる。また、そのアンテナを用いてダイバーシチ受信を行うため、非常に受信感度のよい通信が可能である。さらに、上側筐体は人体によって生ずるアンテナへの影響を遮蔽する効果もあり、反射板として用いることも可能であるため、更なるＳＡＲの低減が期待できる。しかも、反射板として用いることにより、アンテナの指向性制御も可能である。そして、複数の周波数帯のうちより大きい方の周波数帯で動作するアンテナほど耳、顔および頭から遠い場所に位置する上側筐体に備え付けることにより、ＳＡＲを低く抑えつつ、複数の周波数帯で動作させることが可能である。その他、本発明の携帯無線装置は、マグネシウムなどからなる上側筐体の一部がアンテナを兼ねる構成であって、落下などの衝撃に対する耐性を強化する効果が期待できる上、アンテナとしての占有スペースを必要としないため従来に比べて部品点数の削減が期待できる。さらに、誘電体材料あるいは磁性体材料からなる薄膜を音孔部側上側筐体の表面に貼付することにより、人体とアンテナとの距離をより大きくすることが可能となるため、通話時において人体の電磁的影響によるアンテナ特性の劣化を少なくすることが期待できる。また、ディスプレイのフレームが飛び出すなど大変おもしろい構造であるため、デザイン性の向上が図れる。
【０１３５】
（実施の形態７）
図２３（ａ）は、本発明の実施の形態７の２つ折り式携帯無線装置を開いた状態での平面図であり、図２３（ｂ）はその側面図である。図２４は携帯無線装置を閉じた状態での側面図である。図２５は無線回路２３１０内のダイバーシチ制御部の構成図である。
【０１３６】
図２３（ａ）および図２３（ｂ）において、携帯無線装置２３０１は、上側筐体２３０２および下側筐体２３０３がヒンジ部２３０４を介して折り畳み可能となるように接続されている。上側筐体２３０２は一部あるいは全部が導電性材料で構成された音孔部側上側筐体２３０２ａと反音孔部側上側筐体２３０２ｂとで構成されている。
【０１３７】
ディスプレイ２３０５は上側筐体２３０２の折り畳まれた内側の面となる音孔部側上側筐体２３０２ａ上に配置されている。通話時に相手の音声が聞こえる音孔部２３０６は音孔部側上側筐体２３０２ａ上であってヒンジ部２３０４と反対側となるディスプレイ２３０５の近傍に突出した形で配置されている。マイク２３０７は下側筐体２３０３上でヒンジ部２３０４と反対側となる下端部付近に配置されている。電池２３０８は下側筐体２３０３のマイク２３０７とは反対側の面に配置されている。下側基板２３０９は下側筐体２３０３の内部に配置されている。下側基板２３０９上に無線回路２３１０が配置されている。給電線２３１２の一方の端部は無線回路２３１０上の接続部２３１１に接続され、円形で貫通孔を有する他端はネジ２３１３とネジ受部２３１５により音孔部側上側筐体２３０２ａと電気的に接続されるようにネジ止めされている。この場合、音孔部側上側筐体２３０２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。
【０１３８】
また、下側筐体２３０３の携帯無線装置２３０１が閉じた状態にあるとき音孔部２３０６と接する場所に同じ形状の凹み部２３１６を備えている。前記凹み部２３１６の深さは、音孔部２３０６の突出部の厚みより小さい。そして、携帯無線装置２３０１を閉じた状態では、凹み部２３１６と音孔部２３０６においてと、ヒンジ部２３０４において以外では、上側筐体２３０２と下側筐体２３０３は接しないようになっている。こうすることにより、携帯無線装置２３０１を閉じた際、ディスプレイ２３０５が下側筐体２３０３に当たることがなく、ディスプレイ２３０５を保護することができる。このとき上側筐体２３０２と下側筐体２３０３は１ｍｍ程度の隙間があればよい。そして、ディスプレイ保護用の突出部を新たに追加する必要もなくなるため、部品点数を削減でき、製造コストを下げることが期待できる。また、反音孔部側上側筐体２３０２ｂはアンテナ素子２３１７を有し、給電線２３１２および接続部２３１１を介して無線回路２３１０に接続されている。
【０１３９】
図２５において、無線回路２３１０はスイッチ２５０１、制御部２５０２および受信回路２５０３で構成されている。そして、音孔部側上側筐体２３０２ａおよびアンテナ素子２３１７から入ってくる電波を制御部２５０２において、電力の強い方を判断し、それに応じて音孔部側上側筐体２３０２ａから入ってくる電力の方が大きい場合は、端子２５０１ａと端子２５０１ｃをつなぎ、アンテナ素子２３１７から入ってくる電力の方が大きい場合は、端子２５０１ｂと端子２５０１ｃをつなぐ。
【０１４０】
以上のように構成された２つ折り式携帯無線装置において、音声、データ、画像等を送信する場合には、無線回路２３１０において高周波信号に変換された送信信号は接続部２３１１から給電線２３１２を介して音孔部側上側筐体２３０２ａまたはアンテナ素子２３１７に入力され、電波として空間に放射される。
【０１４１】
次に、音声、データ、画像等を受信する場合には、音孔部側上側筐体２３０２ａまたはアンテナ素子２３１７で受信された受信信号は、給電線２３１２を介して接続部２３１１へ入力され、接続部２３１１から無線回路２３１０へ入力され、無線回路２３１０の受信回路２５０３において高周波信号から復調される。
【０１４２】
このように、上側筐体２３０２の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。しかも、音孔部２３０６が突出していることにより、通話時にもアンテナが人体から離れるため、人体によって生ずるアンテナへの電磁的影響を最小化でき、受信感度のよい通信が可能となる。また、人体とアンテナとの距離が離れるため、さらにＳＡＲを低く抑えることが可能となる。そして、音孔部２３０６を突出させるとはいえ、携帯無線装置２３０１を閉じた状態では、上側筐体２３０２と下側筐体２３０３が隣接した状態の厚みとほとんど変わらないため、持ちやすく、使用しやすい。そして、デザインも良い。しかも、人体からの電磁的影響が小さく、良好なアンテナ特性を維持しているアンテナを用いて選択ダイバーシチを行うことにより、さらに受信感度のよい通信が可能となる。また、音孔部２３０６が突出しているため、耳をあてる位置がわかりやすく、かつ、耳と音孔部２３０６との距離が近くなるため、音声が聞き取りやすい。
【０１４３】
なお、音孔部２３０６の形状は本実施の形態のものに限るものではない。
【０１４４】
なお、本実施の形態では給電線２３１２と音孔部側上側筐体２３０２ａとを電気的に接続されるようネジ２３１３にてネジ止めする構成例について示しているが、これに限定されるものではない。ネジ止めをしない場合でも音孔部側上側筐体２３０２ａと給電線２３１２が安定して接続されていれば同様の効果が期待できることは言うまでもない。
【０１４５】
なお、本実施の形態では円筒形のヒンジ部２３０４を用いる構成例について説明したがこれに限定されるものではない。例えばヒンジ部２３０４として、四角柱形状のものや三角柱形状のもの、あるいは楕円柱形状のものを用いても構わない。要するにヒンジ部２３０４は、上側筐体２３０２と下側筐体２３０３とを接続し、上側筐体２３０２と下側筐体２３０３とが折り畳み可能になるようなものであれば、その形状はどのようなものであっても構わない。
【０１４６】
なお、本実施の形態は２つ折り式の携帯無線装置で説明したが、これに限らずストレート式の携帯無線装置でもよいということは言うまでもない。
【０１４７】
なお、筐体アンテナおよび筐体に取り付けるアンテナが複数の周波数帯で動作可能なマルチバンドアンテナであってもよいということは言うまでもない。
【０１４８】
なお、本実施の形態では筐体アンテナを含めて、上側筐体にアンテナを２つ備え付けた場合について説明したが、これに限らずアンテナは３つ以上あってもよいということはいうまでもない。さらに、上側筐体２３０２にアンテナを一つだけ備えている場合であっても構わない。すなわち、上側筐体２３０２に筐体アンテナまたはアンテナ素子２３１７のいずれか一つのみを備え付けている場合でも上記実施の形態と同等の効果を得ることが出来る。
【０１４９】
なお、本実施の形態では音孔部２３０６を突出させるとしたが、これに限らず他の筐体の一部を突出させてもよいということは言うまでもない。
【０１５０】
なお、本実施の形態では、筐体アンテナと上側筐体２３０２に内蔵したアンテナ素子の例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体だけに限らず下側筐体に備え付けてもよいということは言うまでもない。一部あるいは全部が導電性材料で構成され、アンテナの一部あるいは全部として機能するブーム部の例については図２６に示す。図２６はアンテナ素子２３１７の代わりにアンテナの一部あるいは全部として機能するブーム部２６０１を備え付けたもので、それ以外は本実施の形態と同様である。すなわち、図２６においては、図２３と同一部分については同一符号を付してある。
【０１５１】
なお、本実施の形態では、携帯無線装置２３０１を閉じた際、上側筐体２３０２と下側筐体２３０３は１ｍｍ程度の隙間があればよいとしたが、隙間の大きさはこれに限るものではない。
【０１５２】
なお、本実施の形態では、受信時のみ選択ダイバーシチを行うとしたが、これに限らず送信時にも選択ダイバーシチを行ってもよいということはいうまでもない。
【０１５３】
（実施の形態８）
本実施の形態８では、スライド式携帯無線装置の例を示す。実施の形態７と同様の部分については同一符号を付して説明を省略する。
【０１５４】
図２７（ａ）は、本実施の形態のスライド式携帯無線装置を開いた状態での平面図であり、図２７（ｂ）はその側面図である。図２８（ａ）は、本実施の形態のスライド式携帯無線装置を閉じた状態での平面図であり、図２８（ｂ）はその側面図である。図２９は無線回路２３１０内の最大比合成制御部の構成図である。
【０１５５】
図２７（ａ）および図２７（ｂ）において、携帯無線装置２７０１は、上側筐体２３０２および下側筐体２３０３が上側筐体スライド部２７０２および下側筐体スライド部２７０３により上下にスライド可能となるように接続されている。上側筐体２３０２は一部あるいは全部が導電性材料で構成された音孔部側上側筐体２３０２ａと反音孔部側上側筐体２３０２ｂとで構成されている。
【０１５６】
ディスプレイ２３０５は上側筐体２３０２の携帯無線装置２７０１を閉じたときの内側の面となる音孔部側上側筐体２３０２ａ上に配置されている。通話時に相手の音声が聞こえる音孔部２３０６は音孔部側上側筐体２３０２ａ上であって下側筐体２３０３と反対側となるディスプレイ２３０５の近傍に突出した形で配置されている。マイク２３０７は下側筐体２３０３上で上側筐体２３０２と反対側となる下端部付近に配置されている。電池２３０８は下側筐体２３０３のマイク２３０７とは反対側の面に配置されている。下側基板２３０９は下側筐体２３０３の内部に配置されている。下側基板２３０９上に無線回路２３１０が配置されている。給電線２３１２の一方の端部は無線回路２３１０上の接続部２３１１に接続され、もう一方の端部は音孔部側上側筐体２３０２ａと上側筐体２３０２の内部に備え付けたアンテナ素子２３１７に接続されている。この場合、音孔部側上側筐体２３０２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。
【０１５７】
図２８において携帯無線装置２７０１を閉じた状態では、音孔部２３０６は外に剥き出しのままであるが、ディスプレイ２３０５は下側筐体２３０３に覆われた状態となる。
【０１５８】
図２９において、無線回路２３１０は、振幅調整器２９０２ａ、２９０２ｂおよび可変移相器２９０３ａ、２９０３ｂで構成される振幅位相調整部２９０１、制御部２９０４、合成器２９０５および受信回路２５０３で構成されている。そして、音孔部側上側筐体２３０２ａおよびアンテナ素子２３１７から入ってくる電波を制御部２９０４において電力比を求め、その電力比を各信号の振幅比とし、振幅調整器２９０２ａおよび２９０２ｂを制御する。そして、各信号の位相が同相になるように可変移相器２９０３ａおよび２９０３ｂを制御する。そして、振幅・位相調整部２９０１において音孔部側上側筐体２３０２ａおよびアンテナ素子２３１７から入ってくる信号の振幅と位相を制御して、合成器２９０５において二つの信号を合成する。
【０１５９】
以上のように構成されたスライド式携帯無線装置において、音声、データ、画像等を送信する場合には、無線回路２３１０において高周波信号に変換された送信信号は接続部２３１１から給電線２３１２を介して音孔部側上側筐体２３０２ａまたはアンテナ素子２３１７に入力され、電波として空間に放射される。
【０１６０】
次に、音声、データ、画像等を受信する場合には、音孔部側上側筐体２３０２ａおよびアンテナ素子２３１７で受信された受信信号は、給電線２３１２を介して接続部２３１１へ入力され、接続部２３１１から無線回路２３１０へ入力され、無線回路２３１０の受信回路２５０３において高周波信号から復調される。
【０１６１】
このように、上側筐体２３０２の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。しかも、アンテナ素子がある上側筐体２３０２は通話時にも人体から離れるため、人体によって生ずるアンテナへの電磁的影響を最小化でき、受信感度のよい通信が可能となるだけでなく、ＳＡＲを低く抑えることが可能となる。また、音孔部２３０６が突出しているため、耳をあてる位置がわかりやすく、かつ、耳と音孔部２３０６との距離が近くなるため、音声が聞き取りやすい。しかも、最大比合成を行うことにより、雑音電力に対する信号電力比が高くなり、さらに受信感度のよい通信が可能となる。また、スライド式携帯無線装置２７０１を閉じた状態では、ディスプレイ２３０５は下側筐体２３０３に覆われるため、ディスプレイ２３０５を保護できる。そして、スライド式携帯無線装置２７０１を閉じた状態でも音孔部２３０６は剥き出しのままであるため、スライド式携帯無線装置２７０１を閉じたままでも通話が可能となる。
なお、音孔部２３０６の形状は本実施の形態のものに限るものではない。
【０１６２】
なお、筐体アンテナおよび筐体に取り付けるアンテナが複数の周波数帯で動作可能なマルチバンドアンテナであってもよいということは言うまでもない。
【０１６３】
なお、本実施の形態では筐体アンテナを含めて、上側筐体にアンテナを２つ備え付けた場合について説明したが、これに限らずアンテナは３つ以上あってもよいということはいうまでもない。
【０１６４】
なお、本実施の形態では音孔部２３０６を突出させるとしたが、これに限らず他の筐体の一部を突出させてもよいということは言うまでもない。
【０１６５】
なお、本実施の形態では、筐体アンテナと上側筐体２３０２に内蔵したアンテナ素子の例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体だけに限らず下側筐体に備え付けてもよいということは言うまでもない。
【０１６６】
（実施の形態９）
本実施の形態９では、本実施の形態７とは異なり、音孔部の周囲を突出させることを特徴とする携帯無線装置の例を示す。実施の形態７および実施の形態８と同様の部分については同一符号を付して説明を省略する。
【０１６７】
図３０（ａ）は、本実施の形態の２つ折り式携帯無線装置２３０１を開いた状態での平面図であり、図３０（ｂ）はその側面図である。図３１は携帯無線装置２３０１を閉じた状態での側面図である。図３２は無線回路２３１０内のアダプティブ制御部の構成図である。
【０１６８】
図３０（ａ）および図３０（ｂ）において、携帯無線装置２３０１は、上側筐体２３０２および下側筐体２３０３がヒンジ部２３０４を介して折り畳み可能となるように接続されている。上側筐体２３０２は一部あるいは全部が導電性材料で構成された音孔部側上側筐体２３０２ａと反音孔部側上側筐体２３０２ｂとで構成されている。
【０１６９】
ディスプレイ２３０５は上側筐体２３０２の折り畳まれた内側の面となる音孔部側上側筐体２３０２ａ上に配置されている。通話時に相手の音声が聞こえる音孔部２３０６は音孔部側上側筐体２３０２ａ上であってヒンジ部２３０４と反対側となるディスプレイ２３０５の近傍に配置されている。音孔部２３０６の周囲を突出部３００１で囲む。マイク２３０７は下側筐体２３０３上でヒンジ部２３０４と反対側となる下端部付近に配置されている。電池２３０８は下側筐体２３０３のマイク２３０７とは反対側の面に配置されている。下側基板２３０９は下側筐体２３０３の内部に配置されている。下側基板２３０９上に無線回路２３１０が配置されている。給電線２３１２の一方の端部は無線回路２３１０上の接続部２３１１に接続され、円形で貫通孔を有する他端はネジ２３１３とネジ受部２３１５により音孔部側上側筐体２３０２ａと電気的に接続されるようにネジ止めされている。この場合、音孔部側上側筐体２３０２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。
【０１７０】
また、下側筐体２３０３の携帯無線装置２３０１が閉じた状態にあるとき突出部３００１と接する場所に同じ形状の凹み部３００２を備えている。そして、前記凹み部３００２の深さは、突出部３００１の厚みより小さく、携帯無線装置２３０１を閉じた状態では、凹み部３００２と突出部３００１においてと、ヒンジ部２３０４において以外では、上側筐体２３０２と下側筐体２３０３は接しないようになっている。こうすることにより、携帯無線装置２３０１を閉じた際、ディスプレイ２３０５が下側筐体２３０３に当たることがなく、ディスプレイ２３０５を保護することができる。このとき上側筐体２３０２と下側筐体２３０３は１ｍｍ程度の隙間があればよい。そして、ディスプレイ保護用の突出部を新たに追加する必要もなくなるため、部品点数を削減でき、製造コストを下げることが期待できる。
【０１７１】
また、反音孔部側上側筐体２３０２ｂはアンテナ素子２３１７を有し、給電線２３１２および接続部２３１１を介して無線回路２３１０に接続されている。
【０１７２】
図３２において、無線回路２３１０は、振幅調整器２９０２ａ、２９０２ｂおよび可変移相器２９０３ａ、２９０３ｂで構成される振幅位相調整部２９０１、制御部２９０４、合成器２９０５および受信回路２５０３で構成されている。そして、音孔部側上側筐体２３０２ａおよびアンテナ素子２３１７から入ってくる受信信号と合成器２９０５において合成された信号を用いて、制御部２９０４においてアダプティブ制御を行い、振幅調整器２９０２ａおよび２９０２ｂと、可変移相器２９０３ａおよび２９０３ｂを制御し、音孔部側上側筐体２３０２ａおよびアンテナ素子２３１７から入ってくる信号の振幅と位相を調整する。
【０１７３】
以上のように構成された２つ折り式携帯無線装置において、音声、データ、画像等を送信する場合には、無線回路２３１０において高周波信号に変換された送信信号は接続部２３１１から給電線２３１２を介して音孔部側上側筐体２３０２ａまたはアンテナ素子２３１７に入力され、電波として空間に放射される。
【０１７４】
次に、音声、データ、画像等を受信する場合には、音孔部側上側筐体２３０２ａおよびアンテナ素子２３１７で受信された受信信号は、給電線２３１２を介して接続部２３１１へ入力され、接続部２３１１から無線回路２３１０へ入力され、無線回路２３１０の受信回路２５０３において高周波信号から復調される。
【０１７５】
このように、上側筐体２３０２の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。しかも、音孔部２３０６の周囲が突出していることにより、通話時にもアンテナと人体との距離が離れるため、人体によって生ずるアンテナへの電磁的影響を最小化でき、受信感度のよい通信が可能となる。また、人体とアンテナとの距離が離れるため、さらにＳＡＲを低く抑えることが可能となる。そして、音孔部２３０６の周囲を突出させるとはいえ、携帯無線装置を閉じた状態では、上側筐体２３０２と下側筐体２３０３が隣接した状態の厚みとほとんど変わらないため、持ちやすく、使用しやすい。そして、デザインも良い。しかも、人体からの電磁的影響が小さく、良好なアンテナ特性を維持しているアンテナを用いてアダプティブ制御を行うことにより、さらに受信感度のよい通信が可能となる。また、音孔部２３０６の周囲が突出しているため、耳をあてる位置がわかりやすく、かつ、他からの雑音および音漏れを防げるため、音声が聞き取りやすい。
【０１７６】
なお、突出部３００１の形状は本実施の形態のものに限るものではない。また、本実施の形態では音孔部２３０６を囲むように突出部を備え付けたが、これに限らず、音孔部２３０６の上側だけを囲うなど、音孔部２３０６の周囲全てを囲わなくてもよいということはいうまでもない。
【０１７７】
なお、本実施の形態では給電線２３１２と音孔部側上側筐体２３０２ａとを電気的に接続されるようネジ２３１３にてネジ止めする構成例について示しているが、これに限定されるものではない。ネジ止めをしない場合でも音孔部側上側筐体２３０２ａと給電線２３１２が安定して接続されていれば同様の効果が期待できることは言うまでもない。
【０１７８】
なお、本実施の形態では円筒形のヒンジ部２３０４を用いる構成例について説明したがこれに限定されるものではない。例えばヒンジ部２３０４として、四角柱形状のものや三角柱形状のもの、あるいは楕円柱形状のものを用いても構わない。要するにヒンジ部２３０４は、上側筐体２３０２と下側筐体２３０３とを接続し、上側筐体２３０２と下側筐体２３０３とが折り畳み可能になるようなものであれば、その形状はどのようなものであっても構わない。
【０１７９】
なお、本実施の形態は２つ折り式の携帯無線装置で説明したが、これに限らずストレート式の携帯無線装置でもよいということは言うまでもない。
【０１８０】
なお、筐体アンテナおよび筐体に取り付けるアンテナが複数の周波数帯で動作可能なマルチバンドアンテナであってもよいということは言うまでもない。
【０１８１】
なお、本実施の形態では筐体アンテナを含めて、上側筐体にアンテナを２つ備え付けた場合について説明したが、これに限らずアンテナは３つ以上あってもよいということはいうまでもない。さらに、上側筐体２３０２にアンテナを一つだけ備えている場合であっても構わない。すなわち、上側筐体２３０２に筐体アンテナまたはアンテナ素子２３１７のいずれか一つのみを備え付けている場合でも上記実施の形態と同等の効果を得ることが出来る。
【０１８２】
なお、本実施の形態では音孔部２３０６の周囲を突出させるとしたが、これに限らず他の筐体の一部を突出させてもよいということは言うまでもない。
【０１８３】
なお、本実施の形態では、筐体アンテナと上側筐体２３０２に内蔵したアンテナ素子の例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体２３０２だけに限らず下側筐体２３０３に備え付けてもよいということは言うまでもない。
【０１８４】
なお、本実施の形態では、携帯無線装置２３０１を閉じた際、上側筐体２３０２と下側筐体は２３０３１ｍｍ程度の隙間があればよいとしたが、隙間の大きさはこれに限るものではない。
【０１８５】
（実施の形態１０）
本実施の形態１０では、本実施の形態７とは異なり、音孔部の突出させ方が異なる携帯無線装置の例を示す。実施の形態７から実施の形態９と同様の部分については説明を省略する。
【０１８６】
図３３（ａ）は、本発明の実施の形態１０の２つ折り式携帯無線装置２３０１を開いた状態での平面図であり、図３３（ｂ）はその側面図である。図３４は携帯無線装置を閉じた状態での側面図である。
【０１８７】
図３３（ａ）および図３３（ｂ）において、携帯無線装置２３０１は、上側筐体２３０２および下側筐体２３０３がヒンジ部２３０４を介して折り畳み可能となるように接続されている。上側筐体２３０２は一部あるいは全部が導電性材料で構成された音孔部側上側筐体２３０２ａと反音孔部側上側筐体２３０２ｂとで構成されている。
【０１８８】
ディスプレイ２３０５は上側筐体２３０２の折り畳まれた内側の面となる音孔部側上側筐体２３０２ａ上に配置されている。通話時に相手の音声が聞こえる音孔部２３０６は音孔部側上側筐体２３０２ａ上であってヒンジ部２３０４と反対側となるディスプレイ２３０５の近傍に突出した形で配置されており、携帯無線装置２３０１を閉じた状態では下側筐体２３０３の一部を覆う形となっている。また、携帯無線装置２３０１を閉じた状態では音孔部２３０６の突出部の厚みにより、音孔部２３０６においてと、ヒンジ部２３０４において以外では上側筐体２３０２と下側筐体２３０３は接しないようになっている。こうすることにより、携帯無線装置２３０１を閉じた際、ディスプレイ２３０５が下側筐体２３０３に当たることがなく、ディスプレイ２３０５を保護することができる。そして、ディスプレイ保護用の突出部を新たに追加する必要もなくなるため、部品点数を削減でき、製造コストを下げることが期待できる。
【０１８９】
マイク２３０７は下側筐体２３０３上でヒンジ部２３０４と反対側となる下端部付近に配置されている。電池２３０８は下側筐体２３０３のマイク２３０７とは反対側の面に配置されている。下側基板２３０９は下側筐体２３０３の内部に配置されている。下側基板２３０９上に無線回路２３１０が配置されている。給電線２３１２の一方の端部は無線回路２３１０上の接続部２３１１に接続され、円形で貫通孔を有する他端はネジ２３１３とネジ受部２３１５により音孔部側上側筐体２３０２ａと電気的に接続されるようにネジ止めされている。この場合、音孔部側上側筐体２３０２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。また、実施の形態１０の２つ折り式携帯無線装置２３０１では、実施の形態７のアンテナ素子２３１７は設けられていない。すなわち、実施の形態１０の２つ折り式携帯無線装置２３０１では、アンテナ素子として筐体アンテナ１つだけ備えている。
【０１９０】
また、携帯無線装置２３０１を閉じた状態で下側筐体２３０３の電池２３０８側の面を下にして平らな面の上に置いたとき、音孔部２３０６の突出部が平らな面と接し、下側筐体２３０３のマイク２３０７側の端は平らな面に接しない。こうすることにより、例えば携帯無線装置２３０１を置く平らな面が金属でできていて、かつ、下側筐体２３０３がアンテナ素子を有している場合、金属でできた平らな面からの電磁的影響を軽減することができる。
【０１９１】
以上のように構成された２つ折り式携帯無線装置において、音声、データ、画像等を送信する場合には、無線回路２３１０において高周波信号に変換された送信信号は接続部２３１１から給電線２３１２を介して音孔部側上側筐体２３０２ａに入力され、電波として空間に放射される。
【０１９２】
次に、音声、データ、画像等を受信する場合には、音孔部側上側筐体２３０２ａで受信された受信信号は、給電線２３１２を介して接続部２３１１へ入力され、接続部２３１１から無線回路２３１０へ入力され、高周波信号から復調される。
【０１９３】
このように、上側筐体２３０２の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。しかも、音孔部２３０６が突出していることにより、通話時にもアンテナが人体から離れるため、人体によって生ずるアンテナへの電磁的影響を最小化でき、受信感度のよい通信が可能となる。また、人体とアンテナとの距離が離れるため、さらにＳＡＲを低く抑えることが可能となる。そして、音孔部２３０６を突出させるとはいえ、携帯無線装置２３０１を閉じた状態では、上側筐体２３０２と下側筐体２３０３が隣接した状態の厚みとほとんど変わらないため、持ちやすく、使用しやすい。そして、デザインも良い。また、音孔部２３０６が突出しているため、耳をあてる位置がわかりやすく、かつ、耳と音孔部２３０６との距離が近くなるため、音声が聞き取りやすい。そして、音孔部２３０６の突出部があることにより、片手で携帯無線装置２３０１をもち、体、または、その他机などに音孔部２３０６をつけて、片手で携帯無線装置２３０１をあけることが可能となり、片手がふさがっているときに便利である。
【０１９４】
なお、音孔部２３０１の形状は本実施の形態のものに限るものではない。
【０１９５】
なお、本実施の形態では給電線２３１２と音孔部側上側筐体２３０２ａとを電気的に接続されるようネジ２３１３にてネジ止めする構成例について示しているが、これに限定されるものではない。ネジ止めをしない場合でも音孔部側上側筐体２３０２ａと給電線２３１２が安定して接続されていれば同様の効果が期待できることは言うまでもない。
【０１９６】
なお、本実施の形態では円筒形のヒンジ部２３０４を用いる構成例について説明したがこれに限定されるものではない。例えばヒンジ部２３０４として、四角柱形状のものや三角柱形状のもの、あるいは楕円柱形状のものを用いても構わない。要するにヒンジ部２３０４は、上側筐体２３０２と下側筐体２３０３とを接続し、上側筐体２３０２と下側筐体２３０３とが折り畳み可能になるようなものであれば、その形状はどのようなものであっても構わない。
【０１９７】
なお、本実施の形態では１つのアンテナの場合について説明したが、これに限らずアンテナは２つ以上あってもよいということはいうまでもない。
【０１９８】
なお、筐体アンテナおよび筐体に取り付けるアンテナが複数の周波数帯で動作可能なマルチバンドアンテナであってもよいということは言うまでもない。
【０１９９】
なお、本実施の形態では、筐体アンテナの例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体２３０２だけに限らず下側筐体２３０３に備え付けてもよいということは言うまでもない。
【０２００】
なお、本実施の形態では、携帯無線装置２３０１を閉じた状態で下側筐体２３０３の電池２３０８側の面を下にして平らな面ところに置いたとき、音孔部２３０６の突出部が平らな面と接し、下側筐体２３０３のマイク２３０７側の端は平らな面に接しないとしたが、これに限らず音孔部の突出部の厚みは下側筐体の厚みよりも小さく、携帯無線装置２３０１を閉じた状態で下側筐体２３０３の電池２３０８側の面を下にして平らな面ところに置いたときに下側筐体が平らな面に接してもよいということはいうまでもない。
【０２０１】
（実施の形態１１）
本実施の形態１１では、機械的振動により音声を伝える骨伝導方式の音孔部を備えた携帯無線装置の例を示す。実施の形態７から実施の形態１０と同様の部分については同一符号を付して説明を省略する。
【０２０２】
図３５（ａ）は、本発明の実施の形態１１の２つ折り式携帯無線装置を開いた状態での平面図であり、図３５（ｂ）はその側面図である。図３６は携帯無線装置を閉じた状態での側面図である。図３５（ａ）および図３５（ｂ）において、携帯無線装置２３０１は、上側筐体２３０２および下側筐体２３０３がヒンジ部２３０４を介して折り畳み可能となるように接続されている。上側筐体２３０２は一部あるいは全部が導電性材料で構成された音孔部側上側筐体２３０２ａと反音孔部側上側筐体２３０２ｂとで構成されている。
【０２０３】
ディスプレイ２３０５は上側筐体２３０２の折り畳まれた内側の面となる音孔部側上側筐体２３０２ａ上に配置されている。通話時に相手の音声が聞こえる音孔部２３０６は音孔部側上側筐体２３０２ａ上であってヒンジ部２３０４と反対側となるディスプレイ２３０５の近傍に配置されている。機械的振動により音声を伝える骨伝導部３５０１は音孔部側上側筐体２３０２ａ上であってヒンジ部２３０４側となるディスプレイ２３０５の近傍に突出した形で配置されている。マイク２３０７は下側筐体２３０３上でヒンジ部２３０４と反対側となる下端部付近に配置されている。電池２３０８は下側筐体２３０３のマイク２３０７とは反対側の面に配置されている。下側基板２３０９は下側筐体２３０３の内部に配置されている。下側基板２３０９上に無線回路２３１０が配置されている。給電線２３１２の一方の端部は無線回路２３１０上の接続部２３１１に接続され、円形で貫通孔を有する他端はネジ２３１３とネジ受部２３１５により音孔部側上側筐体２３０２ａと電気的に接続されるようにネジ止めされている。この場合、音孔部側上側筐体２３０２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。また、実施の形態１１の２つ折り式携帯無線装置２３０１では、実施の形態７のアンテナ素子２３１７は設けられていない。すなわち、実施の形態１０の２つ折り式携帯無線装置２３０１では、アンテナ素子として筐体アンテナ１つだけ備えている。
【０２０４】
また、下側筐体２３０３の携帯無線装置２３０１が閉じた状態にあるときの骨伝導部３５０１と接する場所に、骨伝導部３５０１と同じ大きさの穴３５０２が空いている。そして、携帯無線装置２３０１が閉じた状態では骨伝導部３５０１は穴３５０２にはまっている状態で、携帯無線装置２３０１が閉じた状態にあっても下側筐体２３０３の電池２３０８側から骨伝導部３５０１により音声を聞くことが可能である。携帯無線装置２３０１が閉じた状態にあるときは骨伝導部３５０１とマイク２３０７において通話を行う。携帯無線装置２３０１が開いた状態にあるときは音孔部２３０６、骨伝導部３５０１およびマイク２３０７によって通話を行う。
【０２０５】
以上のように構成された２つ折り式携帯無線装置において、音声、データ、画像等を送信する場合には、無線回路２３１０において高周波信号に変換された送信信号は接続部２３１１から給電線２３１２を介して音孔部側上側筐体２３０２ａに入力され、電波として空間に放射される。
【０２０６】
次に、音声、データ、画像等を受信する場合には、音孔部側上側筐体２３０２ａで受信された受信信号は、給電線２３１２を介して接続部２３１１へ入力され、接続部２３１１から無線回路２３１０へ入力され、高周波信号から復調される。
【０２０７】
このように、上側筐体２３０２の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。しかも、骨伝導部３５０１が突出していることにより、通話時にもアンテナが人体から離れるため、人体によって生ずるアンテナへの電磁的影響を最小化でき、受信感度のよい通信が可能となる。また、人体とアンテナとの距離が離れるため、さらにＳＡＲを低く抑えることが可能となる。そして、骨伝導部３５０１を突出させるとはいえ、携帯無線装置２３０１を閉じた状態では、上側筐体２３０２と下側筐体２３０３が隣接した状態の厚みとほとんど変わらないため、持ちやすく、使用しやすい。そして、デザインも良い。また、骨伝導部３５０１が突出しているため、顔と骨伝導部３５０１が密着するため、音声が聞き取りやすい。
【０２０８】
なお、本実施の形態では給電線２３１２と音孔部側上側筐体２３０２ａとを電気的に接続されるようネジ２３１３ネジ止めする構成例について示しているが、これに限定されるものではない。ネジ止めをしない場合でも音孔部側上側筐体２３０２ａと給電線２３１２が安定して接続されていれば同様の効果が期待できることは言うまでもない。
【０２０９】
なお、本実施の形態では円筒形のヒンジ部２３０４を用いる構成例について説明したがこれに限定されるものではない。例えばヒンジ部２３０４として、四角柱形状のものや三角柱形状のもの、あるいは楕円柱形状のものを用いても構わない。要するにヒンジ部２３０４は、上側筐体２３０２と下側筐体２３０３とを接続し、上側筐体２３０２と下側筐体２３０３とが折り畳み可能になるようなものであれば、その形状はどのようなものであっても構わない。
【０２１０】
なお、本実施の形態では１つのアンテナの場合について説明したが、これに限らずアンテナは２つ以上あってもよいということはいうまでもない。
【０２１１】
なお、アンテナを２つ以上設ける場合には、筐体アンテナおよび筐体に取り付けるアンテナが複数の周波数帯で動作可能なマルチバンドアンテナであってもよいということは言うまでもない。
【０２１２】
なお、本実施の形態では、筐体アンテナの例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体２３０２だけに限らず下側筐体２３０３に備え付けてもよいということは言うまでもない。
【０２１３】
（実施の形態１２）
本実施の形態１２では、本実施の形態７とは異なる部分を突出させた携帯無線装置の例を示す。実施の形態７から実施の形態１１と同様の部分については同一符号を付して説明を省略する。
【０２１４】
図３７（ａ）は、本発明の実施の形態１２の２つ折り式携帯無線装置２３０１を開いた状態での平面図であり、図３７（ｂ）はその側面図である。図３８は携帯無線装置２３０１を閉じた状態での側面図である。
【０２１５】
図３７（ａ）および図３７（ｂ）において、携帯無線装置２３０１は、上側筐体２３０２および下側筐体２３０３がヒンジ部２３０４を介して折り畳み可能となるように接続されている。上側筐体２３０２は一部あるいは全部が導電性材料で構成された音孔部側上側筐体２３０２ａと反音孔部側上側筐体２３０２ｂとで構成されている。
【０２１６】
ディスプレイ２３０５は上側筐体２３０２の折り畳まれた内側の面となる音孔部側上側筐体２３０２ａ上に配置されている。通話時に相手の音声が聞こえる音孔部２３０６は音孔部側上側筐体２３０２ａ上であってヒンジ部２３０４と反対側となるディスプレイ２３０５の近傍に配置されている。マイク２３０７は下側筐体２３０３上でヒンジ部２３０４と反対側となる下端部付近に配置されている。電池２３０８は下側筐体２３０３のマイク２３０７とは反対側の面に配置さている。下側基板２３０９は下側筐体２３０３の内部に配置されている。下側基板２３０９上に無線回路２３１０が配置されている。給電線２３１２の一方の端部は無線回路２３１０上の接続部２３１１に接続されている。円形で貫通孔を有する他端はネジ２３１３とネジ受部２３１５により音孔部側上側筐体２３０２ａと電気的に接続されるようにネジ止めされている。
【０２１７】
この場合、音孔部側上側筐体２３０２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。また、実施の形態１２の２つ折り式携帯無線装置２３０１では、実施の形態７のアンテナ素子２３１７は設けられていない。すなわち、実施の形態１２の２つ折り式携帯無線装置２３０１では、アンテナ素子として筐体アンテナ１つだけ備えている。
【０２１８】
また、上側筐体２３０２の両端には例えばゴムなどの肌触りのよい材質の突出部３７０２がある。そして、下側筐体２３０３の携帯無線装置２３０１が閉じた状態にあるときの突出部３７０２が接する位置は湾曲している（湾曲部３７０１）。携帯無線装置２３０１が閉じた状態であるときは、突出部３７０２は湾曲部３７０１を通り抜ける。突出部３７０２の厚みは下側筐体２３０３の厚みより大きく、携帯無線装置２３０１を閉じた状態で下側筐体２３０３の電池２３０８側の面を下にして平らな面の上に置いたとき、突出部３７０２が平らな面と接し、下側筐体２３０３は平らな面に接しない。こうすることにより、例えば携帯無線装置２３０１を置く平らな面が金属でできていて、かつ、下側筐体２３０３がアンテナ素子を有している場合、金属でできた平らな面からの電磁的影響を軽減することができる。
【０２１９】
以上のように構成された２つ折り式携帯無線装置において、音声、データ、画像等を送信する場合には、無線回路２３１０において高周波信号に変換された送信信号は接続部２３１１から給電線２３１２を介して音孔部側上側筐体２３０２ａに入力され、電波として空間に放射される。
【０２２０】
次に、音声、データ、画像等を受信する場合には、音孔部側上側筐体２３０２ａで受信された受信信号は、給電線２３１２を介して接続部２３１１へ入力され、接続部２３１１から無線回路２３１０へ入力され、高周波信号から復調される。
【０２２１】
このように、上側筐体２３０２の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。しかも、突出部３７０２により、通話時にもアンテナが人体から離れるため、人体によって生ずるアンテナへの電磁的影響を最小化でき、受信感度のよい通信が可能となる。また、人体とアンテナとの距離が離れるため、さらにＳＡＲを低く抑えることが可能となる。そして、突出部３７０２があるとはいえ、携帯無線装置２３０１を閉じた状態では、上側筐体２３０２と下側筐体２３０３が隣接した状態の厚みとほとんど変わらないため、持ちやすく、使用しやすい。そして、デザインも良い。また、突出部３７０２は肌触りのよい材質でできているため、長時間通話しても頬や耳が痛くならない。また、湾曲部３７０１はちょうど携帯無線装置をもつとき指の位置となるため、持ちやすく操作しやすい。
【０２２２】
なお、本実施の形態では給電線２３１２と音孔部側上側筐体２３０２ａとを電気的に接続されるようネジ２３１２にてネジ止めする構成例について示しているが、これに限定されるものではない。ネジ止めをしない場合でも音孔部側上側筐体２３０２ａと給電線２３１２が安定して接続されていれば同様の効果が期待できることは言うまでもない。
【０２２３】
なお、本実施の形態では円筒形のヒンジ部２３０４を用いる構成例について説明したがこれに限定されるものではない。例えばヒンジ部２３０４として、四角柱形状のものや三角柱形状のもの、あるいは楕円柱形状のものを用いても構わない。要するにヒンジ部２３０４は、上側筐体２３０２と下側筐体２３０３とを接続し、上側筐体２３０２と下側筐体２３０３とが折り畳み可能になるようなものであれば、その形状はどのようなものであっても構わない。
【０２２４】
なお、筐体アンテナおよび筐体に取り付けるアンテナが複数の周波数帯で動作可能なマルチバンドアンテナであってもよいということは言うまでもない。
【０２２５】
なお、本実施の形態では１つのアンテナの場合について説明したが、これに限らずアンテナは２つ以上あってもよいということはいうまでもない。
【０２２６】
なお、本実施の形態では、筐体アンテナの例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体２３０２だけに限らず下側筐体２３０３に備え付けてもよいということは言うまでもない。
【０２２７】
なお、本実施の形態では、携帯無線装置２３０１を閉じた状態で下側筐体２３０３の電池２３０８側の面を下にして平らな面ところに置いたとき、突出部３７０２が平らな面と接し、下側筐体２３０３のマイク２３０７側の端は平らな面に接しないとしたが、これに限らない。突出部３７０２の厚みは下側筐体の厚みよりも小さく、携帯無線装置２３０１を閉じた状態で下側筐体２３０３の電池２３０８側の面を下にして平らな面ところに置いたときに下側筐体２３０３が平らな面に接してもよいということはいうまでもない。
【０２２８】
なお、本実施の形態では下側筐体２３０３の両端を湾曲させた形としたが、これに限らず湾曲部３７０１の代わりに凹み部としてもよいということはいうまでもない。
【０２２９】
（実施の形態１３）
本実施の形態１３では、本実施の形態７とは異なる部分を突出させた携帯無線装置の例を示す。実施の形態７から実施の形態１２と同様の部分については同一符号を付して説明を省略する。
【０２３０】
図３９（ａ）は、本発明の実施の形態１３の２つ折り式携帯無線装置を開いた状態での平面図であり、図３９（ｂ）はその側面図である。図４０は携帯無線装置を閉じた状態での側面図である。図３９（ａ）および図３９（ｂ）において、携帯無線装置２３０１は、上側筐体２３０２および下側筐体２３０３がヒンジ部２３０４を介して折り畳み可能となるように接続されている。上側筐体２３０２は一部あるいは全部が導電性材料で構成された音孔部側上側筐体２３０２ａと反音孔部側上側筐体２３０２ｂとで構成されている。
【０２３１】
ディスプレイ２３０５は上側筐体２３０２の折り畳まれた内側の面となる音孔部側上側筐体２３０２ａ上に配置されている。通話時に相手の音声が聞こえる音孔部２３０６は音孔部側上側筐体２３０２ａ上であってヒンジ部２３０４と反対側となるディスプレイ２３０５の近傍に配置されている。マイク２３０７は下側筐体２３０３上でヒンジ部２３０４と反対側となる下端部付近に配置されている。電池２３０８は下側筐体２３０３のマイク２３０７とは反対側の面に配置されている。下側基板２３０９は下側筐体２３０３の内部に配置されている。下側基板２３０９上に無線回路２３１０が配置されている。給電線２３１２の一方の端部は無線回路２３１０上の接続部２３１１に接続され、円形で貫通孔を有する他端はネジ２３１３とネジ受部２３１５により音孔部側上側筐体２３０２ａと電気的に接続されるようにネジ止めされている。
【０２３２】
この場合、音孔部側上側筐体２３０２ａは一部あるいは全部がマグネシウムや亜鉛等の導電性材料で構成されており、基地局への信号の送信および基地局からの信号の受信を行うアンテナの一部あるいは全部を兼ねている（以下、筐体アンテナと呼ぶ）。また、実施の形態１３の２つ折り式携帯無線装置２３０１では、実施の形態７のアンテナ素子２３１７は設けられていない。すなわち、実施の形態１３の２つ折り式携帯無線装置２３０１では、アンテナ素子として筐体アンテナ１つだけ備えている。
【０２３３】
また、上側筐体２３０２の右側面、左側面および上端面にガード部３９０１を備え付ける。こうすることにより、ディスプレイ２３０５へ入射する光の量を抑えることができ、ディスプレイ２３０５がまぶしくない。また、他人にディスプレイ２３０５を覗かれることを防ぐことができる。ガード部３９０１の携帯無線装置２３０１が閉じた状態にあるときの下側筐体２３０３側の面には、例えばゴムなどの肌触りのよいものを取り付けておく。ガード部３９０１は携帯無線装置２３０１が閉じた状態にあるときの下側筐体２３０３側に突出しており、携帯無線装置２３０１が閉じた状態にあるとき、下側筐体２３０３はその側面およびマイク２３０７側端面が覆われた形となっている。ガード部３９０１の厚みは下側筐体２３０３の厚みより大きく、携帯無線装置２３０１を閉じた状態で下側筐体２３０３の電池２３０８側の面を下にして平らな面の上に置いたとき、ガード部３９０１が平らな面と接し、下側筐体２３０３は平らな面に接しない。こうすることにより、例えば携帯無線装置２３０１を置く平らな面が金属でできていて、かつ、下側筐体２３０３がアンテナ素子を有している場合、金属でできた平らな面からの電磁的影響を軽減することができる。
【０２３４】
以上のように構成された２つ折り式携帯無線装置において、音声、データ、画像等を送信する場合には、無線回路２３１０において高周波信号に変換された送信信号は接続部２３１１から給電線２３１２を介して音孔部側上側筐体２３０２ａに入力され、電波として空間に放射される。
【０２３５】
次に、音声、データ、画像等を受信する場合には、音孔部側上側筐体２３０２ａで受信された受信信号は、給電線２３１２を介して接続部２３１１へ入力され、接続部２３１１から無線回路２３１０へ入力され、高周波信号から復調される。
【０２３６】
このように、上側筐体２３０２の一部をアンテナとして動作させることにより、良好なアンテナ特性を維持したままで、部品点数の削減を実現できるため製造コストを下げることが期待できる。また、マグネシウム等の機械強度に優れた導電性材料を用いることにより落下等の衝撃に対する耐性を強化することが期待できる。さらに、ヘリカルアンテナ等の従来の外部アンテナと比べて面積を大きくすることができるので、電流密度の最大値を低くすることが可能となり、ＳＡＲを低く抑えることが期待できる。しかも、ガード部３９０１は突出しているため、通話時にもアンテナが人体から離れるため、人体によって生ずるアンテナへの電磁的影響を最小化でき、受信感度のよい通信が可能となる。また、人体とアンテナとの距離が離れるため、さらにＳＡＲを低く抑えることが可能となる。ガード部３９０１は突出しているとはいえ、携帯無線装置２３０１を閉じた状態では、上側筐体２３０２と下側筐体２３０３が隣接した状態の厚みとほとんど変わらないため、持ちやすく、使用しやすい。そして、デザインも良い。また、ガード部３９０１は通話時に顔に触れる面が肌触りのよい材質でできているため、長時間通話しても頬や耳が痛くならない。また、音孔部２３０６の周囲が突出しているため、他からの雑音および音漏れを防げるため、音声が聞き取りやすい。
【０２３７】
なお、本実施の形態では給電線２３１２と音孔部側上側筐体２３０２ａとを電気的に接続されるようネジ止めする構成例について示しているが、これに限定されるものではない。ネジ止めをしない場合でも音孔部側上側筐体２３０２ａと給電線２３１２が安定して接続されていれば同様の効果が期待できることは言うまでもない。
【０２３８】
なお、本実施の形態では円筒形のヒンジ部２３０４を用いる構成例について説明したがこれに限定されるものではない。例えばヒンジ部２３０４として、四角柱形状のものや三角柱形状のもの、あるいは楕円柱形状のものを用いても構わない。要するにヒンジ部２３０４は、上側筐体２３０２と下側筐体２３０３とを接続し、上側筐体２３０２と下側筐体２３０３とが折り畳み可能になるようなものであれば、その形状はどのようなものであっても構わない。
【０２３９】
なお、筐体アンテナおよび筐体に取り付けるアンテナが複数の周波数帯で動作可能なマルチバンドアンテナであってもよいということは言うまでもない。
【０２４０】
なお、本実施の形態では１つのアンテナの場合について説明したが、これに限らずアンテナは２つ以上あってもよいということはいうまでもない。
【０２４１】
なお、本実施の形態では、筐体アンテナの例で示したが、これに限るものではなく、内蔵アンテナ、外部アンテナを問わず、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナを用いてもよいということは言うまでもない。また、それらのアンテナは上側筐体２３０２だけに限らず下側筐体２３０３に備え付けてもよいということは言うまでもない。
【０２４２】
なお、本実施の形態では、携帯無線装置２３０１を閉じた状態で下側筐体２３０３の電池２３０８側の面を下にして平らな面ところに置いたとき、ガード部３９０１の突出部が平らな面と接し、下側筐体２３０３のマイク２３０７側の端は平らな面に接しないとしたが、これに限らない。ガード部３９０１の厚みは下側筐体の厚みよりも小さく、携帯無線装置２３０１を閉じた状態で下側筐体２３０３の電池２３０８側の面を下にして平らな面ところに置いたときに下側筐体が平らな面に接してもよいということはいうまでもない。
【０２４３】
なお、本実施の形態７から１３で示した例はあくまで一例であって、可能なものは組み合わせて用いてもよいということは言うまでもない。例えば、実施の形態７の携帯無線装置を用いて実施の形態８の最大比合成を行ってもよい。また、実施の形態７の携帯無線装置を用いて実施の形態９のアダプティブ制御を行ってもよい。また、実施の形態７と実施の形態１１を組み合わせ、音孔部と骨伝導部の両方を突出させてもよい。また、実施の形態７と実施の形態１２を組み合わせて用いて、実施の形態１２の携帯無線装置に突出した音孔部と凹み部を備え付けてもよい。また、実施の形態７と実施の形態１３を組み合わせて、実施の形態１３の携帯無線装置に突出した音孔部と凹み部を備え付けてもよい。
【０２４４】
また、実施の形態８の携帯無線装置を用いて実施の形態７の選択ダイバーシチを行ってもよい。また、実施の形態８の携帯無線装置を用いて実施の形態９のアダプティブ制御を行ってもよい。また、実施の形態８と実施の形態９を組み合わせて、実施の形態８の携帯無線装置で音孔部ではなく、音孔部の周囲を囲むように突出させてもよい。
【０２４５】
また、実施の形態９の携帯無線装置を用いて実施の形態７の選択ダイバーシチを行ってもよい。また、実施の形態９の携帯無線装置で実施の形態８の最大比合成を行ってもよい。また、実施の形態９と実施の形態１１を組み合わせて、実施の形態１１の携帯無線装置の音孔部の周囲を突出させ、下側筐体に凹み部を備え付けてもよい。また、実施の形態９と実施の形態１２を組み合わせて、実施の形態１２の携帯無線装置の音孔部の周囲を突出させて、下側筐体に凹み部を備え付けてもよい。また、実施の形態９と実施の形態１３を組み合わせて、実施の形態１３の携帯無線装置の音孔部の周囲を突出させて、下側筐体に凹み部を備え付けてもよい。
【０２４６】
また、実施の形態１０の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態７の選択ダイバーシチを行ってもよい。また、実施の形態１０の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態８の最大比合成を行ってもよい。また、実施の形態１０の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態９のアダプティブ制御を行ってもよい。
【０２４７】
また、実施の形態１１の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態７の選択ダイバーシチを行ってもよい。また、実施の形態１１の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態８の最大比合成を行ってもよい。また、実施の形態１１の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態９のアダプティブ制御を行ってもよい。
【０２４８】
また、実施の形態１２の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態７の選択ダイバーシチを行ってもよい。また、実施の形態１２の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態８の最大比合成を行ってもよい。また、実施の形態１２の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態９のアダプティブ制御を行ってもよい。
【０２４９】
また、実施の形態１３の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態７の選択ダイバーシチを行ってもよい。また、実施の形態１３の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態８の最大比合成を行ってもよい。また、実施の形態１３の携帯無線装置であって、筐体アンテナの以外に、ヘリカルアンテナ、固定式ヘリカルアンテナ、ホイップアンテナ、逆Ｆアンテナ、チップアンテナ、ダイポールアンテナ、モノポールアンテナ、または一部あるいは全部が導電性材料で構成され、アンテナの一部あるいは全部として機能するブーム部などその他のアンテナも備え付け、計少なくとも２つ以上のアンテナを備え、実施の形態９のアダプティブ制御を行ってもよい。
【０２５０】
また、実施の形態１０と実施の形態１１と組み合わせて、実施の形態１１の携帯無線装置の音孔部を実施の形態１０の携帯無線装置の音孔部のように突出させてもよい。また、実施の形態１０と実施の形態１２を組み合わせて、実施の形態１２の携帯無線装置の音孔部を実施の形態１０の音孔部のように突出させてもよい。また、実施の形態１１と実施の形態１２と組み合わせて、実施の形態１２の携帯無線装置に骨伝導部を備え付けてもよい。また、実施の形態１１と実施の形態１３と組み合わせて、実施の形態１３の携帯無線装置に骨伝導部を備え付けてもよい。また、実施の形態１２と実施の形態１３と組み合わせて、実施の形態１３の携帯無線装置に実施の形態１２の形態無線装置の湾曲部と突出部を備え付けてもよい。
【０２５１】
なお、本実施の形態７から１３の突出物は角を丸めたり、柔らかい素材にするか、取り付けるかして、突出物によって人体が傷つくなどの危険を回避できるようにするということは言うまでもない。
【０２５２】
なお、本実施の形態１から１３で示した例はあくまで一例であって、構造上可能なものは組み合わせて用いてもよいということは言うまでもない。
【産業上の利用可能性】
【０２５３】
本発明に係る携帯無線装置は、ＳＡＲを低く抑えることが可能で、かつ受信感度がよいという効果を有し、携帯電話端末等の無線通信装置に用いられる携帯無線装置等に有用である。
【図面の簡単な説明】
【０２５４】
【図１】（ａ）実施の形態１の２つ折り式携帯無線装置の構成例を示し、２つ折り式携帯無線装置の開状態における平面図  （ｂ）実施の形態１の２つ折り式携帯無線装置の構成例を示し、第１動作位置での携帯無線装置の側面図
【図２】選択ダイバーシチを行うときの構成図
【図３】（ａ）実施の形態１の２つ折り式携帯無線装置の別の構成例を示し、２つ折り式携帯無線装置の開状態における平面図  （ｂ）実施の形態１の２つ折り式携帯無線装置の別の構成例を示し、２つ折り式携帯無線装置の側面図
【図４】実施の形態１の２つ折り式携帯無線装置の構成例を示し、第２動作位置での携帯無線装置の側面図
【図５】（ａ）実施の形態１のストレート式携帯無線装置の構成例を示し、第２動作位置での携帯無線装置の側面図  （ｂ）実施の形態１のストレート式携帯無線装置の構成例を示し、第１動作位置での携帯無線装置の側面図
【図６】（ａ）実施の形態４の２つ折り式携帯無線装置の構成例を示し、２つ折り式携帯無線装置の開状態における平面図  （ｂ）実施の形態４の２つ折り式携帯無線装置の構成例を示し、第３動作位置での携帯無線装置の側面図
【図７】実施の形態４の２つ折り式携帯無線装置の構成例を示し、第４動作位置での携帯無線装置の側面図
【図８】（ａ）実施の形態４の２つ折り式携帯無線装置の別の構成例を示し、２つ折り式携帯無線装置の開状態における平面図  （ｂ）実施の形態４の２つ折り式携帯無線装置の別の構成例を示し、２つ折り式携帯無線装置の側面図
【図９】従来の携帯無線装置の図
【図１０】（ａ）実施の形態４のストレート式携帯無線装置の構成例を示し、第４動作位置での携帯無線装置の側面図（ｂ）実施の形態４のストレート式携帯無線装置の構成例を示し、第３動作位置での携帯無線装置の側面図３動作位置での携帯無線装置の側面図である。
【図１１】（ａ）実施の形態４の無給電素子を備えた２つ折り式携帯無線装置の構成例を示し、２つ折り式携帯無線装置の開状態における平面図（ｂ）実施の形態４の無給電素子を備えた２つ折り式携帯無線装置の構成例を示し、第３動作位置での携帯無線装置の側面図
【図１２】実施の形態４の無給電素子を備えた２つ折り式携帯無線装置の構成例を示し、第４動作位置での携帯無線装置の側面図
【図１３】（ａ）実施の形態４の２つ折り式携帯無線装置の別の構成例を示し、２つ折り式携帯無線装置の第３動作位置での側面図（ｂ）実施の形態４の２つ折り式携帯無線装置の別の構成例を示し、２つ折り式携帯無線装置の第４動作位置での側面図
【図１４】（ａ）実施の形態４のストレート式携帯無線装置の構成例を示し、第４動作位置での携帯無線装置の側面図  （ｂ）実施の形態４のストレート式携帯無線装置の構成例を示し、第３動作位置での携帯無線装置の側面図
【図１５】負荷回路を切り替えることにより、複数の周波数帯をカバーできる携帯無線装置の構成例を示す図
【図１６】（ａ）アンテナの一部あるいは全部として機能するブーム部を有する２つ折り式携帯無線装置であり、２つ折り式携帯無線装置の開状態における平面図（ｂ）アンテナの一部あるいは全部として機能するブーム部を有する２つ折り式携帯無線装置であり、２つ折り式携帯無線装置の側面図
【図１７】（ａ）実施の形態３の２つ折り式携帯無線装置の構成例を示し、２つ折り式携帯無線装置の開状態における平面図（ｂ）実施の形態３の２つ折り式携帯無線装置の構成例を示し、第１動作位置での携帯無線装置の側面図
【図１８】（ａ）実施の形態４の２つ折り式携帯無線装置の別の構成例を示し、第３動作位置での携帯無線装置の側面図（ｂ）実施の形態４の２つ折り式携帯無線装置の別の構成例を示し、第４動作位置での携帯無線装置の側面図
【図１９】最大比合成を行うときの構成図
【図２０】アダプティブ制御を行うときの構成図
【図２１】（ａ）実施の形態４の２つ折り式携帯無線装置の別の構成例を示し、第３動作位置での携帯無線装置の側面図（ｂ）実施の形態４の２つ折り式携帯無線装置の別の構成例を示し、第４動作位置での携帯無線装置の側面図
【図２２】（ａ）実施の形態６の２つ折り式携帯無線装置の構成例を示し、２つ折り式携帯無線装置の開状態における平面図（ｂ）実施の形態６の２つ折り式携帯無線装置の構成例を示し、第３動作位置での携帯無線装置の側面図
【図２３】（ａ）実施の形態７の２つ折り式携帯無線装置の構成例を示し、２つ折り式携帯無線装置の開状態における平面図  （ｂ）実施の形態７の２つ折り式携帯無線装置の構成例を示し、２つ折り式携帯無線装置の側面図
【図２４】実施の形態７の２つ折り式携帯無線装置の閉状態における側面図
【図２５】選択ダイバーシチを行うときの構成図
【図２６】（ａ）実施の形態７の２つ折り式携帯無線装置の別の構成例を示し、２つ折り式携帯無線装置の開状態における平面図  （ｂ）実施の形態７の２つ折り式携帯無線装置の別の構成例を示し、２つ折り式携帯無線装置の側面図
【図２７】（ａ）実施の形態８のスライド式携帯無線装置の構成例を示し、スライド式携帯無線装置の開状態における平面図  （ｂ）実施の形態８のスライド式携帯無線装置の構成例を示し、スライド式携帯無線装置の側面図
【図２８】（ａ）実施の形態８のスライド式携帯無線装置の構成例を示し、スライド式携帯無線装置の閉状態における平面図  （ｂ）実施の形態８のスライド式携帯無線装置の構成例を示し、スライド式携帯無線装置の側面図
【図２９】最大比合成を行うときの構成図
【図３０】（ａ）実施の形態９の２つ折り式携帯無線装置の構成例を示し、２つ折り式携帯無線装置の開状態における平面図  （ｂ）実施の形態９の２つ折り式携帯無線装置の構成例を示し、２つ折り式携帯無線装置の側面図
【図３１】実施の形態９の２つ折り式携帯無線装置の閉状態における側面図
【図３２】アダプティブ制御を行うときの構成図
【図３３】（ａ）実施の形態１０の２つ折り式携帯無線装置の構成例を示し、２つ折り式携帯無線装置の開状態における平面図  （ｂ）実施の形態１０の２つ折り式携帯無線装置の構成例を示し、２つ折り式携帯無線装置の側面図
【図３４】実施の形態１０の２つ折り式携帯無線装置の閉状態における側面図
【図３５】（ａ）実施の形態１１の２つ折り式携帯無線装置の構成例を示し、２つ折り式携帯無線装置の開状態における平面図（ｂ）実施の形態１１の２つ折り式携帯無線装置の構成例を示し、２つ折り式携帯無線装置の側面絵図
【図３６】実施の形態１１の２つ折り式携帯無線装置の閉状態における側面
【図３７】（ａ）実施の形態１２の２つ折り式携帯無線装置の構成例を示し、２つ折り式携帯無線装置の開状態における平面図（ｂ）実施の形態１２の２つ折り式携帯無線装置の構成例を示し、２つ折り式携帯無線装置の側面図
【図３８】実施の形態１２の２つ折り式携帯無線装置の閉状態における側面図
【図３９】（ａ）実施の形態１３の２つ折り式携帯無線装置の構成例を示し、２つ折り式携帯無線装置の開状態における平面図（ｂ）実施の形態１３の２つ折り式携帯無線装置の構成例を示し、２つ折り式携帯無線装置の側面図
【図４０】実施の形態１３の２つ折り式携帯無線装置の閉状態における側面図
【符号の説明】
【０２５５】
１０１  携帯無線装置
１０２１  第１上側筐体
１０２１ａ  音孔部側第１上側筐体
１０２１ｂ  反音孔部側第１上側筐体
１０２２  第２上側筐体
１０２２ａ  音孔部側第２上側筐体
１０２２ｂ  反音孔部側第２上側筐体
１０３  下側筐体
１０４  ヒンジ部
１０５、９１２  ディスプレイ
１０６、９１０  音孔部
１０７、９０５  マイク
１０８  電池
１０９  下側基板
１１０  無線回路
１１１、６０４  接続部
１１２  給電線
１１３、１１４  ネジ
１１５  ネジ受部
２０１  スイッチ
２０１ａ、２０１ｂ、２０１ｃ、１５０４  端子
２０２、１９０４  制御部
２０３  受信回路
３０１  シール
６０１  上側筐体
６０２  上側筐体軸部
６０２ａ  音孔部側上側筐体軸部
６０２ｂ  反音孔部側上側筐体軸部
６０３  上側筐体付属部
６０３ａ  音孔部側上側筐体付属部
６０３ｂ  反音孔部側上側筐体付属部
９１１  アンテナ素子
９０１  筐体
９０２  第１フリップ
９０３  第２フリップ
９０４  キーパッド
９０６、９０７、９０８  機能ボタン
９０９  導電素子
１３０１、１３０２  接点
１５０１  スイッチ回路
１５０２  第１の負荷回路
１５０３  第２の負荷回路
１６０１  ブーム部
１７０１  開閉部
１７０２  通話ボタン
１７０３  電源ＯＮ／ＯＦＦボタン
１７０４  開閉ボタン
１７０５  駆動回路
１７０６  受信電力判断部
１７０７  圧力センサ
１９０１  振幅・位相調整部
１９０２ａ、１９０２ｂ  振幅調整器
１９０３ａ、１９０３ｂ  可変移相器
１９０５  合成器
２３０１、２７０１  携帯無線装置
２３０２  上側筐体
２３０２ａ  音孔部側上側筐体
２３０２ｂ  反音孔部側上側筐体
２３０３  下側筐体
２３０４  ヒンジ部
２３０５  ディスプレイ
２３０６  音孔部
２３０７  マイク
２３０８  電池
２３０９  下側基板
２３１０  無線回路
２３１１  接続部
２３１２  給電線
２３１３、２３１４  ネジ
２３１５  ネジ受部
２３１６、３００２  凹み部
２３１７  アンテナ素子
２５０１  スイッチ
２５０１ａ、２５０１ｂ、２５０１ｃ  端子
２５０２、２９０４  制御部
２５０３  受信回路
２６０１  ブーム部
２７０２  上側筐体スライド部
２７０３  下側筐体スライド部
２９０１  振幅・位相調整部
２９０２ａ、２９０２ｂ  振幅調整器
２９０３ａ、２９０３ｂ  可変移相器
２９０５  合成器
３００１、３７０２  突出部
３５０１  骨伝導部
３５０２  穴
３７０１  湾曲部
３９０１  ガード部
【図１】
2006041757.tif 000003
【図２】
2006041757.tif 000004
【図３】
2006041757.tif 000005
【図４】
2006041757.tif 000006
【図５】
2006041757.tif 000007
【図６】
2006041757.tif 000008
【図７】
2006041757.tif 000009
【図８】
2006041757.tif 000010
【図９】
2006041757.tif 000011
【図１０】
2006041757.tif 000012
【図１１】
2006041757.tif 000013
【図１２】
2006041757.tif 000014
【図１３】
2006041757.tif 000015
【図１４】
2006041757.tif 000016
【図１５】
2006041757.tif 000017
【図１６】
2006041757.tif 000018
【図１７】
2006041757.tif 000019
【図１８】
2006041757.tif 000020
【図１９】
2006041757.tif 000021
【図２０】
2006041757.tif 000022
【図２１】
2006041757.tif 000023
【図２２】
2006041757.tif 000024
【図２３】
2006041757.tif 000025
【図２４】
2006041757.tif 000026
【図２５】
2006041757.tif 000027
【図２６】
2006041757.tif 000028
【図２７】
2006041757.tif 000029
【図２８】
2006041757.tif 000030
【図２９】
2006041757.tif 000031
【図３０】
2006041757.tif 000032
【図３１】
2006041757.tif 000033
【図３２】
2006041757.tif 000034
【図３３】
2006041757.tif 000035
【図３４】
2006041757.tif 000036
【図３５】
2006041757.tif 000037
【図３６】
2006041757.tif 000038
【図３７】
2006041757.tif 000039
【図３８】
2006041757.tif 000040
【図３９】
2006041757.tif 000041
【図４０】
2006041757.tif 000042